(57)【特許請求の範囲】
【請求項１】
ユーザ機器が下りリンク信号を受信する方法であって、
Ｎ個の連続サブフレームにわたって、物理下りリンク制御チャネル（ＰＤＣＣＨ）を反復受信することであって、Ｎは１より大きい整数であることと、
最後に前記ＰＤＣＣＨが受信されたサブフレームｎの後のサブフレームｎ＋ｋから始まり、前記ＰＤＣＣＨと関連付けられた物理下りリンク共有チャネル（ＰＤＳＣＨ）を受信することと、を有し、
ｋは、１より大きい整数である、下りリンク信号受信方法。
【請求項２】
前記サブフレームｎ＋ｋから始まるＤ個の連続サブフレームにわたって前記ＰＤＳＣＨを反復受信することをさらに有する、請求項１に記載の下りリンク信号受信方法。
【請求項３】
前記ＰＤＳＣＨに関する反復回数情報を受信することをさらに有し、
前記ＰＤＣＣＨは、前記反復回数情報を搬送し、
Ｄは、前記反復回数情報に基づいて決定された正の整数である、請求項２に記載の下りリンク信号受信方法。
【請求項４】
前記ＰＤＣＣＨに関する最大反復回数に関する情報を有する上位層信号を受信することをさらに有し、 Ｎは、前記ＰＤＣＣＨに関する最大反復回数以下である、請求項１に記載の下りリンク信号受信方法。
【請求項５】
前記Ｎ個の連続サブフレームは、予め設定される位置で始まる、請求項４に記載の下りリンク信号受信方法。
【請求項６】
前記反復受信されるＰＤＣＣＨは、前記Ｎ個の連続サブフレーム内の同じ制御チャネル要素（ＣＣＥ）リソースを用いて受信される、請求項１乃至５のいずれか一項に記載の下りリンク信号受信方法。
【請求項７】
下りリンク信号を受信するユーザ機器であって、
無線周波数（ＲＦ）ユニットと、
前記ＲＦユニットを制御するように構成されたプロセッサと、を有し、
前記プロセッサは、
Ｎ個の連続サブフレームにわたって、物理下りリンク制御チャネル（ＰＤＣＣＨ）を反復受信し、Ｎは１より大きい整数であるように前記ＲＦユニットを制御し、
最後に前記ＰＤＣＣＨが受信されたサブフレームｎの後のサブフレームｎ＋ｋから始まり、前記ＰＤＣＣＨと関連付けられた物理下りリンク共有チャネル（ＰＤＳＣＨ）を受信するように前記ＲＦユニットを制御するよう構成され、
ｋは、１より大きい整数である、ユーザ機器。
【請求項８】
前記プロセッサは、前記サブフレームｎ＋ｋから始まるＤ個の連続サブフレームにわたって前記ＰＤＳＣＨを反復受信するように前記ＲＦユニットを制御するよう構成される、請求項７に記載のユーザ機器。
【請求項９】
前記プロセッサは、前記ＰＤＳＣＨに関する反復回数情報を受信するように前記ＲＦユニットを制御するよう構成され、
前記ＰＤＣＣＨは、前記反復回数情報を搬送し、
Ｄは、前記反復回数情報に基づいて決定された正の整数である、請求項８に記載のユーザ機器。
【請求項１０】
前記反復受信されるＰＤＣＣＨは、前記Ｎ個の連続サブフレーム内の同じ制御チャネル要素（ＣＣＥ）リソースを用いて受信される、請求項７乃至９のいずれか一項に記載のユーザ機器。
【請求項１１】
基地局が下りリンク信号を送信する方法であって、
Ｎ個の連続サブフレームにわたって、物理下りリンク制御チャネル（ＰＤＣＣＨ）を反復送信することであって、Ｎは１より大きい整数であることと、
最後に前記ＰＤＣＣＨが送信されたサブフレームｎの後のサブフレームｎ＋ｋから始まり、前記ＰＤＣＣＨと関連付けられた物理下りリンク共有チャネル（ＰＤＳＣＨ）を送信することと、を有し、
ｋは、１より大きい整数である、下りリンク信号送信方法。
【請求項１２】
前記サブフレームｎ＋ｋから始まるＤ個の連続サブフレームにわたって前記ＰＤＳＣＨを反復送信することをさらに有する、請求項１１に記載の下りリンク信号送信方法。
【請求項１３】
前記ＰＤＳＣＨに関する反復回数情報を送信することをさらに有し、
前記ＰＤＣＣＨは、前記反復回数情報を搬送し、
Ｄは、前記反復回数情報に基づいて決定された正の整数である、請求項１２に記載の下りリンク信号送信方法。
【請求項１４】
前記ＰＤＣＣＨに関する最大反復回数に関する情報を有する上位層信号を送信することをさらに有し、 Ｎは、前記ＰＤＣＣＨに関する最大反復回数以下である、請求項１２に記載の下りリンク信号送信方法。
【請求項１５】
前記Ｎ個の連続サブフレームは、予め設定される位置で始まる、請求項１４に記載の下りリンク信号送信方法。
【請求項１６】
前記反復送信されるＰＤＣＣＨは、前記Ｎ個の連続サブフレーム内の同じ制御チャネル要素（ＣＣＥ）リソースを用いて送信される、請求項１１乃至１５のいずれか一項に記載の下りリンク信号送信方法。
【請求項１７】
下りリンク信号を送信する基地局であって、
無線周波数（ＲＦ）ユニットと、
前記ＲＦユニットを制御するように構成されたプロセッサと、を有し、
前記プロセッサは、
Ｎ個の連続サブフレームにわたって、物理下りリンク制御チャネル（ＰＤＣＣＨ）を反復送信し、Ｎは１より大きい整数であるように前記ＲＦユニットを制御し、
最後に前記ＰＤＣＣＨが送信されたサブフレームｎの後のサブフレームｎ＋ｋから始まり、前記ＰＤＣＣＨと関連付けられた物理下りリンク共有チャネル（ＰＤＳＣＨ）を送信するように前記ＲＦユニットを制御するよう構成され、
ｋは、１より大きい整数である、基地局。
【請求項１８】
前記プロセッサは、前記サブフレームｎ＋ｋから始まるＤ個の連続サブフレームにわたって前記ＰＤＳＣＨを反復送信するように前記ＲＦユニットを制御するよう構成される、請求項１７に記載の基地局。
【請求項１９】
前記プロセッサは、前記ＰＤＳＣＨに関する反復回数情報を送信するように前記ＲＦユニットを制御するよう構成され、
前記ＰＤＣＣＨは、前記反復回数情報を搬送し、
Ｄは、前記反復回数情報に基づいて決定された正の整数である、請求項１８に記載の基地局。
【請求項２０】
前記反復送信されるＰＤＣＣＨは、前記Ｎ個の連続サブフレーム内の同じ制御チャネル要素（ＣＣＥ）リソースを用いて送信される、請求項１７乃至１９のいずれか一項に記載の基地局。
【発明の詳細な説明】
【技術分野】
【０００１】
本発明は、無線通信システムに関し、信号を送信もしくは受信する方法、並びに信号を送信もしくは受信する装置に関する。
【背景技術】
【０００２】
機器間（Machine-to-Machine；Ｍ２Ｍ）通信と、膨大なデータ送信量を要求するスマートフォン、タブレットＰＣなどの様々な装置および技術が出現および普及している。これに伴い、セルラ網で処理されることが要求されるデータ量も急増している。このように急増するデータ処理要求量を満たすために、より多くの周波数帯域を効率的に用いるための搬送波アグリゲーション（carrier aggregation）技術、コグニティブ無線（cognitive radio）技術などと、限られた周波数内で送信されるデータ容量を高めるためのマルチアンテナ（multi-antenna）技術、マルチ基地局協調技術などが発展している。
【０００３】
一般の無線通信システムは、１つの下りリンク（DownLink；ＤＬ）帯域とこれに対応する１つの上りリンク（UpLink；ＵＬ）帯域とでデータ送／受信を行ったり（周波数分割デュプレックス（Frequency Division Duplex；ＦＤＤ）モードの場合）、所定の無線フレーム（Radio Frame）を時間ドメイン（time domain）で上りリンク時間ユニットと下りリンク時間ユニットとに区分し、上りリンク／下りリンク時間ユニットでデータ送／受信を行う（時分割デュプレックス（Time Division Duplex；ＴＤＤ）モードの場合）。基地局（Base Station；ＢＳ）とユーザ機器（User Equipment；ＵＥ）とは、所定の時間ユニット（unit）、例えば、サブフレーム（Subframe；ＳＦ）内で、スケジューリングされたデータおよび／または制御情報を送受信する。データは、上りリンク／下りリンクサブフレームに設定されたデータ領域を通じて送受信され、制御情報は、上りリンク／下りリンクサブフレームに設定された制御領域を通じて送受信される。そのために、無線信号を搬送する様々な物理チャネルが上りリンク／下りリンクサブフレームに設定される。これに対し、搬送波アグリゲーション技術は、より広い周波数帯域を用いるために複数の上りリンク／下りリンク周波数ブロックを集約してより大きい上りリンク／下りリンク帯域幅を用いることによって、単一搬送波が用いられる場合に比べて多量の信号を同時に処理することができる。
【０００４】
一方、ＵＥが周辺でアクセス（access）し得るノード（node）の密度が高くなる方向に通信環境が進化している。ノードとは、１つまたは複数のアンテナを有し、ＵＥと無線信号を送信／受信できる固定した地点（point）のことを指す。高い密度のノードを具備した通信システムは、ノード間の協調によってより高い性能の通信サービスをＵＥに提供することができる。
【発明の概要】
【発明が解決しようとする課題】
【０００５】
新しい無線通信技術の導入によって、基地局が所定のリソース領域でサービスを提供すべきＵＥの数が増加するだけでなく、上記基地局がサービスを提供するＵＥと送信／受信するデータおよび制御情報の量も増加している。基地局がＵＥとの通信に利用可能な無線リソースの量は有限であるため、基地局が有限の無線リソースを用いて上りリンク／下りリンクデータおよび／または上りリンク／下りリンク制御情報をＵＥから／に効率的に受信／送信するための新しい方法が要求される。
【０００６】
本発明が遂げようとする技術的課題は、以上で言及した技術的課題に制限されず、言及していない他の技術的課題は、以下の発明の詳細な説明から、本発明の属する技術の分野における通常の知識を有する者には明確に理解されるであろう。
【課題を解決するための手段】
【０００７】
本発明の一実施態様であって、ユーザ機器が下りリンク信号を受信する方法において、複数のサブフレームを有する第１サブフレームバンドルの間に、物理下りリンク制御チャネル（Physical Downlink Control CHannel；ＰＤＣＣＨ）の反復受信を行う、下りリンク信号受信方法が提供される。
【０００８】
本発明の他の実施態様であって、下りリンク信号を受信するユーザ機器において、無線周波数（Radio Frequency；ＲＦ）ユニットと、前記ＲＦユニットを制御するように構成されたプロセッサと、を有し、前記プロセッサは、複数のサブフレームを有する第１サブフレームバンドルの間に、物理下りリンク制御チャネル（Physical Downlink Control CHannel；ＰＤＣＣＨ）の反復受信を行うように前記ＲＦユニットを制御する、ユーザ機器が提供される。
【０００９】
本発明の更に他の実施態様であって、基地局が下りリンク信号を送信する方法において、複数のサブフレームを有する第１サブフレームバンドルの間に、物理下りリンク制御チャネル（Physical Downlink Control CHannel；ＰＤＣＣＨ）の反復送信を行う、下りリンク信号送信方法が提供される。
【００１０】
本発明の更に他の実施態様であって、下りリンク信号を送信する基地局において、無線周波数（Radio Frequency；ＲＦ）ユニットと、前記ＲＦユニットを制御するように構成されたプロセッサと、を有し、前記プロセッサは、複数のサブフレームを有する第１サブフレームバンドルの間に、物理下りリンク制御チャネル（Physical Downlink Control CHannel；ＰＤＣＣＨ）の反復送信を行うように前記ＲＦユニットを制御する、基地局が提供される。
【００１１】
本発明の各実施態様において、前記第１サブフレームバンドルの最後のサブフレームｎ−１の次のｋ番目のサブフレームであるサブフレームｎ＋ｋから、前記ＰＤＣＣＨと関連付けられた物理下りリンク共有チャネル（Physical Downlink Shared CHannel；ＰＤＳＣＨ）の送信が行われてもよい。ここで、ｋは０より大きい整数であってもよい。
【００１２】
本発明の各実施態様において、前記第１サブフレームバンドルの開始サブフレームは、予め設定された位置または固定された位置で始まってもよい。
【００１３】
本発明の各実施態様において、前記第１サブフレームバンドルのサイズは、予め設定された値または固定された値であってもよい。
【００１４】
本発明の各実施態様において、前記サブフレームｎ＋ｋから始まる第２サブフレームバンドルの間に前記ＰＤＳＣＨの反復送信が行われてもよい。
【００１５】
本発明の各実施態様において、前記第２サブフレームバンドルの送信周期、前記第２サブフレームバンドルの前記送信周期におけるオフセット、前記第２サブフレームバンドルのサイズのうち少なくとも１つを示す情報が前記ユーザ機器に送信されてもよい。
【００１６】
本発明の各実施態様において、物理放送チャネル（Physical Broadcast Channel）の送信がさらに行われてもよい。
【００１７】
本発明の各実施態様において、前記ユーザ機器は、前記ＰＢＣＨのリソースでは前記ＰＤＳＣＨが送信されないと仮定してもよい。
【００１８】
本発明の各実施態様において、前記ＰＤＳＣＨに対するＡＣＫ／ＮＡＣＫ情報の反復送信のための第３サブフレームバンドルの開始位置と前記第３サブフレームバンドルのサイズとに関する情報が前記ユーザ機器にさらに送信されてもよい。
【００１９】
上記の課題解決方法は、本発明の実施例の一部に過ぎず、当該技術の分野における通常の知識を有する者にとっては、本願発明の技術的特徴が反映された様々な実施例を、以下に説明する本発明の詳細な説明から導出できるということは明らかであろう。
【発明の効果】
【００２０】
本発明によれば、上りリンク／下りリンク信号を効率的に送信／受信することができる。これによって、無線通信システムの全体のスループット（処理量）（throughput）が向上する。
【００２１】
本発明に係る効果は、以上で言及した効果に制限されず、言及していない他の効果は、以下の発明の詳細な説明から、本発明の属する技術の分野における通常の知識を有する者には明確に理解されるであろう。
【図面の簡単な説明】
【００２２】
【図１】無線通信システムで用いられる無線フレーム構造の一例を示す図である。
【図２】無線通信システムにおける下りリンク／上りリンク（ＤＬ／ＵＬ）スロット構造の一例を示す図である。
【図３】同期信号（Synchronization Signal；ＳＳ）の送信のための無線フレーム構造を例示する図である。
【図４】無線通信システムで用いられる下りリンクサブフレーム（subframe）構造を例示する図である。
【図５】セル固有参照信号（Cell specific Reference Signal：ＣＲＳ）とＵＥ固有参照信号（User specific Reference Signal；ＵＥ−ＲＳ）とを例示する図である。
【図６】無線通信システムで用いられる上りリンク（UpLink；ＵＬ）サブフレーム構造の一例を示す図である。
【図７】ＰＤＣＣＨ（Physical Downlink Control CHannel）またはＥＰＤＣＣＨ（Enhanced PDCCH）と、ＰＤＣＣＨ／ＥＰＤＣＣＨによってスケジューリングされるデータチャネルと、を例示する図である。
【図８】本発明を実行する送信装置１０および受信装置２０の構成要素を示すブロック図である。
【図９】物理チャネル処理の概要（overview）を例示する図である。
【図１０】本発明の実施例Ａに係る信号送信／受信方法を例示する図である。
【図１１】本発明の実施例Ａに係る他の信号送信／受信方法を例示する図である。
【図１２】本発明の実施例Ａに係る更に他の信号送信／受信方法を例示する図である。
【図１３】本発明の実施例Ｂに係る信号送信／受信方法を例示する図である。
【図１４】本発明の実施例Ｃに係る信号送信／受信方法を例示する図である。
【図１５】本発明の実施例Ｄに係る信号送信／受信方法を例示する図である。
【図１６】本発明の実施例Ｄに係る信号送信／受信方法を例示する図である。
【図１７】本発明の実施例Ｄに係る信号送信／受信方法を例示する図である。
【図１８】本発明の実施例Ｅに係る信号送信／受信方法を例示する図である。
【図１９】本発明の実施例Ｆに係る信号送信／受信方法を例示する図である。
【図２０】本発明の実施例Ｇに係る信号送信／受信方法を例示する図である。
【発明を実施するための形態】
【００２３】
本発明に関する理解を助けるために詳細な説明の一部として含まれる添付の図面は、本発明に関する実施例を提供し、詳細な説明と共に本発明の技術的思想を説明する。
【００２４】
以下、本発明に係る好適な実施の形態を、添付の図面を参照して詳しく説明する。添付の図面と共に以下に開示される詳細な説明は、本発明の例示的な実施形態を説明するためのものであり、本発明が実施し得る唯一の実施形態を示すためのものではない。以下の詳細な説明は、本発明の完全な理解を提供するために具体的な細部事項を含む。しかし、当業者にとってはこのような具体的な細部事項がなくても本発明を実施できることは明らかである。
【００２５】
いくつかの場合、本発明の概念が曖昧になることを避けるために、公知の構造および装置を省略したり、各構造および装置の核心機能を中心にしたブロック図の形式で示すことがある。また、本明細書全体を通じて同一の構成要素については、同一の図面符号を付して説明する。
【００２６】
以下に説明する技法（technique）および装置、システムは、様々な無線多元接続システムに適用すことができる。多元接続システムの例には、ＣＤＭＡ（Code Division Multiple Access）システム、ＦＤＭＡ（Frequency Division Multiple Access）システム、ＴＤＭＡ（Time Division Multiple Access）システム、ＯＦＤＭＡ（Orthogonal Frequency Division Multiple Access）システム、ＳＣ−ＦＤＭＡ（Single Carrier Frequency Division Multiple Access）システム、ＭＣ−ＦＤＭＡ（Multi Carrier Frequency Division Multiple Access）システムなどがある。ＣＤＭＡは、ＵＴＲＡ（Universal Terrestrial Radio Access）またはＣＤＭＡ２０００などの無線技術（technology）によって具現することができる。ＴＤＭＡは、ＧＳＭ（登録商標）（Global System for Mobile communication）、ＧＰＲＳ（General Packet Radio Service）、ＥＤＧＥ（Enhanced Data Rates for GSM Evolution）（すなわち、ＧＥＲＡＮ）などの無線技術によって具現することができる。ＯＦＤＭＡは、ＩＥＥＥ（Institute of Electrical and Electronics Engineers）８０２．１１（Ｗｉ−Ｆｉ）、ＩＥＥＥ８０２．１６（ＷｉＭＡＸ）、ＩＥＥＥ８０２−２０、Ｅ−ＵＴＲＡ（evolved-UTRA）などの無線技術によって具現することができる。ＵＴＲＡは、ＵＭＴＳ（Universal Mobile Telecommunication System）の一部であり、３ＧＰＰ（3rd Generation Partnership Project）ＬＴＥ（Long Term Evolution）は、Ｅ−ＵＴＲＡを用いるＥ−ＵＭＴＳの一部である。３ＧＰＰ  ＬＴＥは、下りリンク（DownLink；ＤＬ）ではＯＦＤＭＡを採択し、上りリンク（UpLink；ＵＬ）ではＳＣ−ＦＤＭＡを採択している。ＬＴＥ−Ａ（LTE-Advanced）は、３ＧＰＰ  ＬＴＥの進化した形態である。説明の便宜のために、以下では、本発明が３ＧＰＰ  ＬＴＥ／ＬＴＥ−Ａに適用される場合を仮定して説明する。しかし、本発明の技術的特徴がこれに制限されるものではない。例えば、以下の詳細な説明が、移動通信システムが３ＧＰＰ  ＬＴＥ／ＬＴＥ−Ａシステムに対応する移動通信システムに基づいて説明されても、３ＧＰＰ  ＬＴＥ／ＬＴＥ−Ａに特有の事項以外は、他の任意の移動通信システムにも適用可能である。
【００２７】
例えば、本発明は、３ＧＰＰ  ＬＴＥ／ＬＴＥ−Ａシステムのように、ｅＮＢがＵＥに下りリンク／上りリンク時間／周波数リソースを割り当て、ＵＥがｅＮＢの割当てによって下りリンク信号を受信し、上りリンク信号を送信する非−競合ベース（non-contention based）通信だけでなく、Ｗｉ−Ｆｉなどの競合ベース（contention based）通信にも適用することができる。非−競合ベース通信方式（scheme）は、アクセスポイント（Access Point；ＡＰ）または上記アクセスポイントを制御する制御ノード（node）が、ＵＥと上記ＡＰとの間の通信のためのリソースを割り当てるが、競合ベース通信方式は、ＡＰにアクセスしようとする複数のＵＥ間の競合によって通信リソースが占有される。競合ベース通信方式について簡略に説明すると、競合ベース通信方式の一種として搬送波検知多元接続（Carrier Sense Multiple Access；ＣＳＭＡ）がある。ＣＳＭＡとは、ノードまたは通信機器が周波数帯域（band）などの、共有伝送媒体（shared transmission medium）（共有チャネルともいう。）上でトラフィック（traffic）を送信する前に、同一の共有伝送媒体上に他のトラフィックがないことを確認する確率的（probabilistic）媒体アクセス制御（Media Access Control；ＭＡＣ）プロトコル（protocol）を指す。ＣＳＭＡにおいて、送信装置は、受信装置にトラフィックを送ることを試みる前に、他の送信が進行中であるか否かを決定する。換言すれば、送信装置は、送信を試みる前に、他の送信装置からの搬送波（carrier）の存在を検出（detect）することを試みる。搬送波が検知されると、送信装置は、自体の送信を開始する前に、進行中の他の送信装置による送信が完了（finish）することを待つ。結局、ＣＳＭＡは、“ｓｅｎｓｅ  ｂｅｆｏｒｅ  ｔｒａｎｓｍｉｔ”または“ｌｉｓｔｅｎ  ｂｅｆｏｒｅ  ｔａｌｋ”の原理に基づいた通信方式といえる。ＣＳＭＡを用いる競合ベース通信システムにおいて、送信装置間の衝突を回避する方式としてＣＳＭＡ／ＣＤ（Carrier Sense Multiple Access with Collision Detection）および／またはＣＳＭＡ／ＣＡ（Carrier Sense Multiple Access with Collision Avoidance）が用いられる。ＣＳＭＡ／ＣＤは、有線ＬＡＮ環境での衝突検出方式であり、イーサネット（登録商標）（Ethernet（登録商標））環境で通信をしようとするＰＣ（Personal Computer）やサーバ（server）が、まず、ネットワーク上で通信が行われているか否かを確認した後、他の装置（device）がデータを上記ネットワーク上に載せて送っている場合、待ってからデータを送る。すなわち、２人以上のユーザ（例えば、ＰＣ、ＵＥなど）が同時にデータを乗せて送る場合、上記同時送信間に衝突が発生するが、ＣＳＭＡ／ＣＤは、上記衝突を監視し、柔軟性のあるデータ送信がなされるようにする方式である。ＣＳＭＡ／ＣＤを用いる送信装置は、特定の規則を用いて他の送信装置によるデータ送信を検知し、自体のデータ送信を調節する。ＣＳＭＡ／ＣＡは、ＩＥＥＥ８０２．１１標準に明示されている媒体アクセス制御プロトコルである。ＩＥＥＥ８０２．１１標準に従うＷＬＡＮシステムは、ＩＥＥＥ８０２．３標準で用いられたＣＳＭＡ／ＣＤを用いず、ＣＡ、すなわち、衝突を回避する方式を用いている。送信装置は、常にネットワークの搬送波を検知しているが、ネットワークが空になると、リスト（目録）（list）に登録された自体の位置によって、定められた時間を待ってからデータを送る。リスト内で送信装置間の優先順位を決め、この優先順位を再設定（reconfiguration）するためには様々な方法を用いることができる。ＩＥＥＥ８０２．１１標準の一部のバージョンに従うシステムでは、衝突が起きることがあり、この場合には衝突検知手順が行われる。ＣＳＭＡ／ＣＡを用いる送信装置は、特定の規則を用いて、他の送信装置によるデータ送信と自体のデータ送信との間の衝突を回避する。
【００２８】
本発明において、ＵＥは、固定していても移動性を有してもよく、基地局（Base Station；ＢＳ）と通信してユーザデータおよび／または各種制御情報を送受信する各種機器がこれに属する。ＵＥは、端末（Terminal Equipment）、ＭＳ（Mobile Station）、ＭＴ（Mobile Terminal）、ＵＴ（User Terminal）、ＳＳ（Subscribe Station）、無線機器（wireless device）、ＰＤＡ（Personal Digital Assistant）、無線モデム（wireless modem）、携帯機器（handheld device）などと呼ぶことができる。また、本発明において、ＢＳは、一般に、ＵＥおよび／または他のＢＳと通信する固定局（fixed station）のことをいい、ＵＥおよび他のＢＳと通信して各種データおよび制御情報を交換する。ＢＳは、ＡＢＳ（Advanced Base Station）、ＮＢ（Node-B）、ｅＮＢ（evolved-NodeB）、ＢＴＳ（Base Transceiver System）、アクセスポイント（Access Point）、ＰＳ（Processing Server）等の他の用語で呼ぶこともできる。以下の本発明に関する説明では、ＢＳをｅＮＢと総称する。
【００２９】
本発明でいうノード（node）とは、ＵＥと通信して無線信号を送信／受信し得る固定した地点（point）のことを指す。様々な形態のｅＮＢを、その名称に関係なくノードとして用いることができる。例えば、ＢＳ、ＮＢ、ｅＮＢ、ピコセルｅＮＢ（ＰｅＮＢ）、ホームｅＮＢ（ＨｅＮＢ）、リレー、リピータなどをノードとすることができる。また、ノードは、ｅＮＢでなくてもよい。例えば、無線リモートヘッド（Radio Remote Head；ＲＲＨ）、無線リモートユニット（Radio Remote Unit；ＲＲＵ）とすることもできる。ＲＲＨ、ＲＲＵなどは、一般に、ｅＮＢの電力レベル（power level）よりも低い電力レベルを有する。ＲＲＨまたはＲＲＵ（以下、ＲＲＨ／ＲＲＵ）は、一般に、光ケーブルなどの専用回線（dedicated line）でｅＮＢに接続されているため、一般に、無線回線で接続されたｅＮＢによる協調通信に比べて、ＲＲＨ／ＲＲＵとｅＮＢとによる協調通信を円滑に行うことができる。１つのノードには少なくとも１つのアンテナが設置される。上記アンテナは物理アンテナを意味することもでき、アンテナポート、仮想アンテナ、またはアンテナグループを意味することもできる。ノードは、ポイント（ｐｏｉｎｔ）とも呼ばれる。マルチノードシステムにおいて、複数のノードへの／からの信号送信／受信には、同一のセル識別子（IDentity；ＩＤ）を用いてもよく、互いに異なるセル識別子を用いてもよい。複数のノードが同一のセルＩＤを有する場合、上記複数のノードのそれぞれは、１つのセルの一部のアンテナグループのように動作する。マルチノードシステムでノードが互いに異なるセルＩＤを有する場合、このようなマルチノードシステムは、マルチセル（例えば、マクロセル／フェムトセル／ピコセル）システムと見なすことができる。複数のノードのそれぞれが形成したマルチセルがカバレッジによってオーバーレイ（overlay）する形態で構成される場合、上記マルチセルが形成したネットワークを特に多層（multi-tier）ネットワークと呼ぶ。ＲＲＨ／ＲＲＵのセルＩＤとｅＮＢのセルＩＤとは同一でもよく、異なってもよい。ＲＲＨ／ＲＲＵがｅＮＢと異なるセルＩＤを用いる場合、ＲＲＨ／ＲＲＵとｅＮＢとはいずれも独立した基地局として動作する。
【００３０】
マルチノードシステムにおいて、複数のノードと接続された１つまたは複数のｅＮＢまたはｅＮＢコントローラが、上記複数のノードの一部または全てを通じてＵＥに同時に信号を送信または受信するように上記複数のノードを制御することができる。各ノードの実体、各ノードの具現形態などによってマルチノードシステム間には相違点が存在するが、複数のノードが共に所定の時間−周波数リソース上でＵＥに通信サービスを提供することに参加するという点で、これらのマルチノードシステムは単一ノードシステム（例えば、ＣＡＳ、従来のＭＩＭＯシステム、従来の中継システム、従来のリピータシステムなど）と相違する。したがって、複数のノードの一部または全てを用いてデータ協調送信を行う方法に関する本発明の実施例は、各種のマルチノードシステムに適用することができる。例えば、ノードは、通常、他のノードと一定の間隔以上離れて位置しているアンテナグループを指すが、後述する本発明の実施例は、ノードが間隔に関係なく任意のアンテナグループを意味する場合にも適用することができる。例えば、Ｘ−ｐｏｌ（Cross polarized）アンテナを具備したｅＮＢの場合、該ｅＮＢはＨ−ｐｏｌアンテナで構成された（configured）ノードとＶ−ｐｏｌアンテナで構成されたノードとを制御するとして、本発明の実施例を適用することができる。
【００３１】
複数の送信（Ｔｘ）／受信（Ｒｘ）ノードを通じて信号を送信／受信したり、複数の送信／受信ノードの中から選択された少なくとも１つのノードを通じて信号を送信／受信したり、下りリンク信号を送信するノードと上りリンク信号を受信するノードとを別々にし得る通信方式を、マルチｅＮＢ  ＭＩＭＯまたはＣｏＭＰ（Coordinated Multi-Point transmission／reception）という。このようなノード間協調通信のうち、協調送信方式は、大きく、ＪＰ（Joint Processing）とスケジューリング協調（scheduling coordination）とに区別できる。前者は、ＪＴ（Joint Transmission）／ＪＲ（Joint Reception）とＤＰＳ（Dynamic Point Selection）とに区別でき、後者は、ＣＳ（Coordinated Scheduling）とＣＢ（Coordinated Beamforming）とに区別できる。ＤＰＳは、ＤＣＳ（Dynamic Cell Selection）とも呼ばれる。他の協調通信方式に比べて、ノード間協調通信方式のうちＪＰが行われるとき、より様々な通信環境が形成されうる。ＪＰのうち、ＪＴは、複数のノードが同一のストリームをＵＥに送信する通信方式をいい、ＪＲは、複数のノードが同一のストリームをＵＥから受信する通信方式をいう。上記ＵＥ／ｅＮＢは、上記複数のノードから受信した信号を合成して上記ストリームを復元する。ＪＴ／ＪＲの場合、同一のストリームが複数のノードから／に送信されるため、送信ダイバーシティ（diversity）によって信号送信の信頼度を向上させることができる。ＪＰのうち、ＤＰＳは、複数のノードのうち、特定の規則によって選択されたノードを通じて信号が送信／受信される通信方式をいう。ＤＰＳの場合、通常、ＵＥとノードとの間のチャネル状態の良いノードが通信ノードとして選択されるため、信号送信の信頼度を向上させることができる。
【００３２】
本発明でいうセル（cell）とは、１つまたは複数のノードが通信サービスを提供する一定の地理的領域を指す。したがって、本発明で特定のセルと通信するということは、上記特定のセルに通信サービスを提供するｅＮＢまたはノードと通信するということを意味できる。また、特定のセルの下りリンク／上りリンク信号は、上記特定のセルに通信サービスを提供するｅＮＢまたはノードからの／への下りリンク／上りリンク信号を意味する。ＵＥに上りリンク／下りリンク通信サービスを提供するセルを特にサービングセル（serving cell）という。また、特定のセルのチャネル状態／品質は、上記特定のセルに通信サービスを提供するｅＮＢまたはノードとＵＥとの間に形成されたチャネルまたは通信リンクのチャネル状態／品質を意味する。ＬＴＥ／ＬＴＥ−Ａベースのシステムで、ＵＥは、特定のノードからの下りリンクチャネル状態を、上記特定のノードのアンテナポートが上記特定のノードに割り当てられたＣＲＳ（Cell-specific Reference Signal）リソース上で送信されるＣＲＳおよび／またはＣＳＩ−ＲＳ（Channel State Information Reference Signal）リソース上で送信されるＣＳＩ−ＲＳを用いて測定することができる。一方、３ＧＰＰ  ＬＴＥ／ＬＴＥ−Ａシステムは、無線リソースを管理するためにセル（cell）の概念を用いているが、無線リソースと関連付けられたセル（cell）は、地理的領域のセル（cell）と区別される。
【００３３】
近年、無線通信システムでは、より広い周波数帯域を用いるために複数のＵＬおよび／またはＤＬ周波数ブロックを集めてより大きいＵＬ／ＤＬ帯域幅を用いる搬送波アグリゲーション（carrier aggregationまたはbandwidth aggregation）技術の導入が検討されている。搬送波アグリゲーション（Carrier Aggregation；ＣＡ）は、複数の搬送波周波数を用いてＤＬまたはＵＬ通信を行うという点で、複数の直交する副搬送波に分割された基本周波数帯域を１つの搬送波周波数に乗せてＤＬまたはＵＬ通信を行うＯＦＤＭ（Orthogonal Frequency Division Multiplexing）システムと区別される。以下、搬送波アグリゲーションによって集約される搬送波のそれぞれをコンポーネント搬送波（Component Carrier；ＣＣ）と称する。無線リソースと関連付けられた“セル”とは、下りリンクリソース（DL resources）と上りリンクリソース（UL resources）との組合せ、すなわち、ＤＬ  ＣＣとＵＬ  ＣＣとの組合せとして定義される。セルは、ＤＬリソース単独、またはＤＬリソースとＵＬリソースとの組合せで設定する（configure）ことができる。搬送波アグリゲーションがサポート（支援）（support）される場合、ＤＬリソース（または、ＤＬ  ＣＣ）の搬送波周波数（carrier frequency）とＵＬリソース（または、ＵＬ  ＣＣ）の搬送波周波数（carrier frequency）との間のリンケージ（linkage）をシステム情報によって示すことができる。ここで、搬送波周波数とは、各セルまたはＣＣの中心周波数（center frequency）を意味する。以下では、一次周波数（primary frequency）上で動作するセルを一次セル（Primary cell；Ｐｃｅｌｌ）またはＰＣＣと呼び、二次周波数（Secondary frequency）上で動作するセルを二次セル（Secondary cell；Ｓｃｅｌｌ）またはＳＣＣと呼ぶ。Ｓｃｅｌｌとは、ＲＲＣ（Radio Resource Control）接続確立（connection establishment）がなされた後に設定可能であり、追加無線リソースの提供のために用い得るセルを意味する。ＵＥの性能（capabilities）によって、ＳｃｅｌｌがＰｃｅｌｌと共に、上記ＵＥのためのサービングセルのセット（集合）（set）を形成することができる。ＲＲＣ＿接続（RRC_connected）状態にあるが、搬送波アグリゲーションが設定されていないか、または搬送波アグリゲーションをサポートしないＵＥの場合、Ｐｃｅｌｌのみで設定されたサービングセルが１つのみ存在する。
【００３４】
地理的領域の“セル”は、ノードが搬送波を用いてサービスを提供できるカバレッジ（coverage）として理解することができ、無線リソースの“セル”は、上記搬送波によって設定（configure）される周波数範囲である帯域幅（BandWidth；ＢＷ）に関連付けられる。ノードが有効な信号を送信できる範囲である下りリンクカバレッジと、ＵＥから有効な信号を受信できる範囲である上りリンクカバレッジは、当該信号を運ぶ搬送波に依存するので、ノードのカバレッジは、上記ノードが用いる無線リソースの“セル”のカバレッジと関連付けられることもある。したがって、“セル”という用語は、時にはノードによるサービスのカバレッジを、時には無線リソースを、時には上記無線リソースを用いた信号が有効な強度で到達できる範囲を意味することに用いることができる。
【００３５】
３ＧＰＰ  ＬＴＥ／ＬＴＥ−Ａ標準は、上位層から生じる情報を運ぶリソース要素に対応する下りリンク物理チャネルと、物理層によって用いられるが、上位層から生じる情報を搬送しないリソース要素に対応する下りリンク物理信号と、を定義する。例えば、物理下りリンク共有チャネル（Physical Downlink Shared CHannel；ＰＤＳＣＨ）、物理ブロードキャストチャネル（Physical Broadcast CHannel；ＰＢＣＨ）、物理マルチキャストチャネル（Physical Multicast CHannel；ＰＭＣＨ）、物理制御フォーマットインジケータ（指示子）チャネル（Physical Control Format Indicator CHannel；ＰＣＦＩＣＨ）、物理下りリンク制御チャネル（Physical Downlink Control CHannel；ＰＤＣＣＨ）および物理ハイブリッドＡＲＱインジケータチャネル（Physical Hybrid ARQ Indicator CHannel；ＰＨＩＣＨ）が下りリンク物理チャネルとして定義されており、参照信号および同期信号が下りリンク物理信号として定義されている。パイロット（pilot）とも呼ばれる参照信号（Reference Signal；ＲＳ）は、ｅＮＢとＵＥとが互いに知っている予め定義された特別な波形の信号を意味するが、例えば、セル固有ＲＳ（cell specific RS）、ＵＥ−固有ＲＳ（UE-specific RS；ＵＥ−ＲＳ）、ポジショニングＲＳ（Positioning RS；ＰＲＳ）およびチャネル状態情報ＲＳ（Channel State Information RS；ＣＳＩ−ＲＳ）が下りリンク参照信号として定義される。３ＧＰＰ  ＬＴＥ／ＬＴＥ−Ａ標準は、上位層から生じる情報を搬送するリソース要素に対応する上りリンク物理チャネルと、物理層によって用いられるが、上位層から生じる情報を搬送しないリソース要素に対応する上りリンク物理信号と、を定義している。例えば、物理上りリンク共有チャネル（Physical Uplink Shared CHannel；ＰＵＳＣＨ）、物理上りリンク制御チャネル（Physical Uplink Control CHannel；ＰＵＣＣＨ）、物理ランダムアクセスチャネル（Physical Random Access CHannel；ＰＲＡＣＨ）が上りリンク物理チャネルとして定義され、上りリンク制御／データ信号のための復調参照信号（DeModulation Reference Signal；ＤＭＲＳ）と、上りリンクチャネル測定に用いられるサウンディング参照信号（Sounding Reference Signal；ＳＲＳ）と、が定義される。
【００３６】
本発明で、ＰＤＣＣＨ（Physical Downlink Control CHannel）／ＰＣＦＩＣＨ（Physical Control Format Indicator CHannel）／ＰＨＩＣＨ（（Physical Hybrid automatic retransmit request Indicator CHannel）／ＰＤＳＣＨ（Physical Downlink Shared CHannel）は、それぞれ、ＤＣＩ（Downlink Control Information）／ＣＦＩ（Control Format Indicator）／下りリンクＡＣＫ／ＮＡＣＫ（ACKnowlegement／Negative ACK）／下りリンクデータを搬送する時間−周波数リソースのセットまたはリソース要素のセットを意味する。また、ＰＵＣＣＨ（Physical Uplink Control CHannel）／ＰＵＳＣＨ（Physical Uplink Shared CHannel）／ＰＲＡＣＨ（Physical Random Access CHannel）は、それぞれ、ＵＣＩ（Uplink Control Information）／上りリンクデータ／ランダムアクセス信号を搬送する時間−周波数リソースセットまたはリソース要素セットを意味する。本発明では、特に、ＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨに割り当てられたり、これに属した時間−周波数リソースまたはリソース要素（Resource Element；ＲＥ）をそれぞれ、ＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨ  ＲＥまたはＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨリソースと称する。以下では、ＵＥがＰＵＣＣＨ／ＰＵＳＣＨ／ＰＲＡＣＨを送信するという表現は、それぞれ、ＰＵＳＣＨ／ＰＵＣＣＨ／ＰＲＡＣＨ上で／またはを通じて、上りリンク制御情報／上りリンクデータ／ランダムアクセス信号を送信することと同じ意味で使われる。また、ｅＮＢがＰＤＣＣＨ／ＰＣＦＩＣＨ／ＰＨＩＣＨ／ＰＤＳＣＨを送信するという表現は、それぞれ、ＰＤＣＣＨ／ＰＣＦＩＣＨ／ＰＨＩＣＨ／ＰＤＳＣＨ上で／またはを通じて、下りリンクデータ／制御情報を送信することと同じ意味で使われる。
【００３７】
また、本発明で、ＰＢＣＨ／（ｅ）ＰＤＣＣＨ／ＰＤＳＣＨ／ＰＵＣＣＨ／ＰＵＳＣＨ領域は、ＰＢＣＨ／（ｅ）ＰＤＣＣＨ／ＰＤＳＣＨ／ＰＵＣＣＨ／ＰＵＳＣＨがマッピングされたまたはマッピングされ得る時間−周波数リソース領域をいう。
【００３８】
以下では、ＣＲＳ／ＤＭＲＳ／ＣＳＩ−ＲＳ／ＳＲＳ／ＵＥ−ＲＳ／ＴＲＳが割り当てられたまたは設定された（configured）ＯＦＤＭシンボル／副搬送波／ＲＥを、ＣＲＳ／ＤＭＲＳ／ＣＳＩ−ＲＳ／ＳＲＳ／ＵＥ−ＲＳ／ＴＲＳシンボル／搬送波／副搬送波／ＲＥと称する。例えば、トラッキングＲＳ（Tracking RS；ＴＲＳ）が割り当てられたまたは設定されたＯＦＤＭシンボルは、ＴＲＳシンボルと称し、ＴＲＳが割り当てられたまたは設定された副搬送波は、ＴＲＳ副搬送波と称し、ＴＲＳが割り当てられたまたは設定されたＲＥはＴＲＳ  ＲＥと称する。また、ＴＲＳ送信のために設定された（configured）サブフレームを、ＴＲＳサブフレームと称する。また、ブロードキャスト信号が送信されるサブフレームを、ブロードキャストサブフレームまたはＰＢＣＨサブフレームと称し、同期信号（例えば、ＰＳＳおよび／またはＳＳＳ）が送信されるサブフレームを、同期信号サブフレームまたはＰＳＳ／ＳＳＳサブフレームと称する。ＰＳＳ／ＳＳＳが割り当てられたまたは設定された（configured）ＯＦＤＭシンボル／副搬送波／ＲＥを、それぞれ、ＰＳＳ／ＳＳＳシンボル／副搬送波／ＲＥと称する。
【００３９】
本発明で、ＣＲＳポート、ＤＭＲＳポート、ＵＥ−ＲＳポート、ＣＳＩ−ＲＳポート、ＴＲＳポートとは、それぞれ、ＣＲＳを送信するように設定された（configured）アンテナポート、ＤＭＲＳを送信するように設定されたアンテナポート、ＵＥ−ＲＳを送信するように設定されたアンテナポート、ＵＥ−ＲＳを送信するように設定されたアンテナポート、ＴＲＳを送信するように設定されたアンテナポートを意味する。ＣＲＳを送信するように設定されたアンテナポートは、ＣＲＳポートによってＣＲＳが占有するＲＥの位置によって相互に区別でき、ＵＥ−ＲＳを送信するように設定された（configured）アンテナポートは、ＵＥ−ＲＳポートによってＵＥ−ＲＳが占有するＲＥの位置によって相互に区別でき、ＣＳＩ−ＲＳを送信するように設定されたアンテナポートは、ＣＳＩ−ＲＳポートによってＣＳＩ−ＲＳが占有するＲＥの位置によって相互に区別できる。したがって、ＣＲＳ／ＤＭＲＳ／ＵＥ−ＲＳ／ＣＳＩ−ＲＳ／ＴＲＳポートという用語が、一定のリソース領域（例えば、ＲＢまたはＲＢ対）内でＣＲＳ／ＤＭＲＳ／ＵＥ−ＲＳ／ＣＳＩ−ＲＳ／ＴＲＳが占有するＲＥのパターンを意味する用語として用いられることもある。本発明において、ＤＭＲＳおよびＵＥ−ＲＳはいずれも復調用ＲＳを意味し、よって、ＤＭＲＳという用語とＵＥ−ＲＳという用語とは、いずれも復調用ＲＳを指すために用いられる。
【００４０】
図１は、無線通信システムで用いられる無線フレーム構造の一例を示す図である。
【００４１】
特に、図１（ａ）は、３ＧＰＰ  ＬＴＥ／ＬＴＥ−Ａシステムで用いられる周波数分割デュプレックス（Frequency Division Duplex；ＦＤＤ）用フレーム構造を示す図であり、図１（ｂ）は、３ＧＰＰ  ＬＴＥ／ＬＴＥ−Ａシステムで用いられる時分割デュプレックス（Time Division Duplex；ＴＤＤ）用フレーム構造を示す図である。
【００４２】
図１を参照すると、３ＧＰＰ  ＬＴＥ／ＬＴＥ−Ａシステムで用いられる無線フレームは、１０ｍｓ（３０７，２００Ｔs）の長さを有し、１０個の均等なサイズのサブフレーム（SubFrame；ＳＦ）で構成される。１つの無線フレーム内の１０個のサブフレームにはそれぞれ番号を与えることができる。ここで、Ｔsは、サンプリング時間を表し、Ｔs＝１／（２０４８・１５ｋＨｚ）で表示される。それぞれのサブフレームは、１ｍｓの長さを有し、２個のスロットで構成される。１つの無線フレームにおいて２０個のスロットには０から１９まで順次番号を付けることができる。それぞれのスロットは、０．５ｍｓの長さを有する。１つのサブフレームを送信するための時間は、送信時間間隔（Transmission Time Interval；ＴＴＩ）として定義される。時間リソースは、無線フレーム番号（または、無線フレームインデックス）、サブフレーム番号（または、サブフレームインデックス）、スロット番号（または、スロットインデックス）などによって区分することができる。
【００４３】
無線フレームは、デュプレックス（duplex）モードによって異なるように設定（configure）することができる。例えば、ＦＤＤモードでは、下りリンク送信および上りリンク送信は周波数によって区分されるため、無線フレームは、特定の周波数帯域に対して下りリンクサブフレームまたは上りリンクサブフレームのいずれか１つのみを含む。ＴＤＤモードでは、下りリンク送信および上りリンク送信は、時間によって区分されるため、特定の周波数帯域に対して無線フレームは下りリンクサブフレームおよび上りリンクサブフレームの両方を含む。
【００４４】
表１は、ＴＤＤモードで、無線フレームにおけるサブフレームのＤＬ−ＵＬ設定（configuration）を例示するものである。
【００４５】
【表１】
0006400598.tif 000002
【００４６】
表１において、Ｄは下りリンクサブフレームを、Ｕは上りリンクサブフレームを、Ｓはスペシャル（special）サブフレームを表す。スペシャルサブフレームは、ＤｗＰＴＳ（Downlink Pilot Time Slot）、ＧＰ（Guard Period）、ＵｐＰＴＳ（Uplink Pilot Time Slot）の３つのフィールドを含む。ＤｗＰＴＳは、下りリンク送信用にリザーブされる（reserved）時間区間であり、ＵｐＰＴＳは、上りリンク送信用にリザーブされる時間区間である。表２は、スペシャルサブフレームの設定（configuration）を例示するものである。
【００４７】
【表２】
0006400598.tif 000003
【００４８】
図２は、無線通信システムにおける下りリンク／上りリンク（ＤＬ／ＵＬ）スロット構造の一例を示す図である。特に、図２は、３ＧＰＰ  ＬＴＥ／ＬＴＥ−Ａシステムのリソースグリッド（resource grid）の構造を示す。アンテナポートごとに１つのリソースグリッドがある。
【００４９】
図２を参照すると、スロットは、時間ドメイン（time domain）で複数のＯＦＤＭ（Orthogonal Frequency Division Multiplexing）シンボルを含み、周波数ドメイン（frequency domain）で複数のリソースブロック（Resource Block；ＲＢ）を含む。ＯＦＤＭシンボルは、１シンボル区間を意味してもよい。図２を参照すると、各スロットで送信される信号はＮDL/ULRB×ＮRBsc個の副搬送波（subcarrier）とＮDL/ULsymb個のＯＦＤＭシンボルとで構成されるリソースグリッド（resource grid）で表現されることができる。ここで、ＮDLRBは、下りリンクスロットにおけるリソースブロック（Resource Block；ＲＢ）の数を表し、ＮULRBは、ＵＬスロットにおけるＲＢの数を表す。ＮDLRBおよびＮULRBは、ＤＬ送信帯域幅およびＵＬ送信帯域幅にそれぞれ依存する。ＮDLsymbは、下りリンクスロットにおけるＯＦＤＭシンボルの数を表し、ＮULsymbは、ＵＬスロットにおけるＯＦＤＭシンボルの数を表す。ＮRBscは、１ ＲＢを構成する副搬送波の数を表す。
【００５０】
ＯＦＤＭシンボルは、多元接続方式によって、ＯＦＤＭシンボル、ＳＣ−ＦＤＭ（Single Carrier Frequency Division Multiplexing）シンボルなどと呼ぶことができる。１スロットに含まれるＯＦＤＭシンボルの数は、チャネル帯域幅、ＣＰ（Cyclic Prefix）の長さによって様々に変更することができる。例えば、ノーマル（normal）ＣＰの場合には、１スロットが７個のＯＦＤＭシンボルを含むが、拡張（extended）ＣＰの場合には、１スロットが６個のＯＦＤＭシンボルを含む。図２では、説明の便宜のために、１スロットが７個のＯＦＤＭシンボルで構成されるサブフレームを例示するが、本発明の実施例は、他の数のＯＦＤＭシンボルを有するサブフレームにも同様の方式で適用することができる。図２を参照すると、各ＯＦＤＭシンボルは、周波数ドメインで、ＮDL/ULRB×ＮRBsc個の副搬送波を含む。副搬送波の類型としては、データ送信のためのデータ副搬送波、参照信号（reference signal）の送信のための参照信号副搬送波、保護帯域（guard band）または直流（Direct Current；ＤＣ）成分のためのヌル（null）副搬送波を含むことができる。ＤＣ成分は、ＯＦＤＭ信号生成処理または周波数アップコンバート処理で搬送波周波数（carrier frequency、ｆ0）にマッピング（mapping）される。搬送波周波数は、中心周波数（center frequency、ｆc）とも呼ぶ。
【００５１】
１つのＲＢは、時間ドメインでＮDL/ULsymb個（例えば、７個）の連続するＯＦＤＭシンボルとして定義され、周波数ドメインでＮRBsc個（例えば、１２個）の連続する副搬送波として定義される。参考として、１つのＯＦＤＭシンボルと１つの副搬送波とで定義されたリソースをリソース要素（Resource Element；ＲＥ）またはトーン（tone）という。したがって、１つのＲＢは、ＮDL/ULsymb×ＮRBsc個のリソース要素で構成される。リソースグリッド内の各リソース要素は、１スロットにおけるインデックス対（ｋ，１）によって一意に定義することができる。ｋは、周波数ドメインで０からＮDL/ULRB×ＮRBsc−１まで与えられるインデックスであり、ｌは、時間ドメインで０からＮDL/ULsymb−１まで与えられるインデックスである。
【００５２】
一方、１つのＲＢは、１つの物理リソースブロック（Physical Resource Block；ＰＲＢ）と１つの仮想リソースブロック（Virtual Resource Block；ＶＲＢ）とに、それぞれマッピングされる。ＰＲＢは、時間ドメインでＮDL/ULsymb個（例えば、７個）の連続するＯＦＤＭシンボルまたはＳＣ−ＦＤＭシンボルとして定義され、周波数ドメインでＮRBsc個（例えば、１２個）の連続する副搬送波として定義される。したがって、１つのＰＲＢは、ＮDL/ULsymb×ＮRBsc個のリソース要素で構成される。１つのサブフレームにおいて、ＮRBsc個が連続する同一の副搬送波を占有するが、上記サブフレームの２個のスロットのそれぞれに１個ずつ位置する２個のＲＢを、ＰＲＢ対と呼ぶ。ＰＲＢ対を構成する２個のＲＢは、同一のＰＲＢ番号（または、ＰＲＢインデックスともいう）を有する。
【００５３】
図３は、同期信号（Synchronization Signal；ＳＳ）の送信のための無線フレーム構造を例示する図である。特に、図３は、周波数分割デュプレックス（Frequency Division Duplex；ＦＤＤ）で同期信号およびＰＢＣＨの送信のための無線フレーム構造を例示するものであり、図３（ａ）は、ノーマルＣＰ（normal Cyclic Prefix）として構成された無線フレームにおけるＳＳおよびＰＢＣＨの送信位置を示し、図３（ｂ）は、拡張ＣＰ（extended CP）として構成された無線フレームにおけるＳＳおよびＰＢＣＨの送信位置を示している。
【００５４】
ＵＥは、電源がついたり新しくセルにアクセスしようとする場合、上記セルとの時間および周波数同期を取得し、上記セルの物理層セル識別子（physical layer cell identity）ＮcellIDを検出（detect）する等のセル探索（initial cell search）手順（procedure）を行う。そのために、ＵＥは、ｅＮＢから同期信号、例えば、一次同期信号（Primary Synchronization Signal；ＰＳＳ）および二次同期信号（Secondary Synchronization Signal；ＳＳＳ）を受信してｅＮＢと同期を取り、セル識別子（identity；ＩＤ）などの情報を取得することができる。
【００５５】
図３を参照して、ＳＳをより具体的に説明すると、次のとおりである。ＳＳは、ＰＳＳとＳＳＳとに区別される。ＰＳＳは、ＯＦＤＭシンボル同期、スロット同期などの時間ドメイン同期および／または周波数ドメイン同期を得るために用いられ、ＳＳＳは、フレーム同期、セルグループＩＤおよび／またはセルのＣＰ設定（configuration）（すなわち、ノーマルＣＰまたは拡張ＣＰの使用情報）を得るために用いられる。図３を参照すると、ＰＳＳおよびＳＳＳは、無線フレームごとに２個のＯＦＤＭシンボルでそれぞれ送信される。具体的には、ＳＳは、インター−ＲＡＴ（inter Radio Access Technology）測定の容易さのために、ＧＳＭ（登録商標）（Global System for Mobile communication）フレーム長である４．６ｍｓを考慮して、サブフレーム０の第１のスロットとサブフレーム５の第１のスロットとでそれぞれ送信される。特に、ＰＳＳは、サブフレーム０の第１のスロットの最後のＯＦＤＭシンボルとサブフレーム５の第１のスロットの最後のＯＦＤＭシンボルとでそれぞれ送信され、ＳＳＳは、サブフレーム０の第１のスロットの最後から２番目のＯＦＤＭシンボルとサブフレーム５の第１のスロットの最後から２番目のＯＦＤＭシンボルとでそれぞれ送信される。該当の無線フレームの境界はＳＳＳを用いて検出することができる。ＰＳＳは、該当スロットの最後のＯＦＤＭシンボルで送信され、ＳＳＳはＰＳＳの直前のＯＦＤＭシンボルで送信される。ＳＳの送信ダイバーシティ（diversity）方式は、単一アンテナポート（single antenna port）のみを使用し、標準では別に定義されていない。すなわち、単一アンテナポート送信またはＵＥに対してトランスペアレントな（transparent）送信方式（例えば、ＰＶＳ（Precoding Vector Switching）、ＴＳＴＤ（Time Switched Diversity）、ＣＤＤ（Cyclic Delay Diversity））をＳＳの送信ダイバーシティのために用いることができる。
【００５６】
ＳＳは、３個のＰＳＳと１６８個のＳＳＳとの組合せによって合計５０４個の一意の物理層セル識別子（physical layer cell ID）を示すことができる。換言すれば、上記物理層セルＩＤ（識別子）は、各物理層セルＩＤが唯一の物理層セル識別子グループの一部になるように、各グループが３個の一意の識別子を含む１６８個の物理層セル識別子グループにグルーピングされる。したがって、物理層セル識別子ＮcellID＝３Ｎ(1)ID＋Ｎ(2)IDは、物理層セル識別子グループを示す０から１６７までの範囲内の番号Ｎ(1)IDと上記物理層セル識別子グループ内の上記物理層識別子を示す０から２までの番号Ｎ(2)IDとによって一意に定義される。ＵＥは、ＰＳＳを検出して、３個の一意の物理層識別子のうちの１つがわかり、ＳＳＳを検出して、上記物理層識別子に関連付けられた１６８個の物理層セルＩＤのうちの１つを識別することができる。長さ６３のＺＣ（Zadoff-Chu）シーケンスが周波数ドメインで定義されてＰＳＳとして用いられる。
【００５７】
図３を参照すると、ＰＳＳは、５ｍｓごとに送信されるため、ＵＥは、ＰＳＳを検出することによって、当該サブフレームがサブフレーム０またはサブフレーム５のいずれかであることがわかるが、当該サブフレームがサブフレーム０およびサブフレーム５のうちのいずれであるかは具体的にはわからない。したがって、ＵＥは、ＰＳＳだけでは無線フレームの境界を認知できない。すなわち、ＰＳＳだけではフレーム同期を取ることができない。ＵＥは、無線フレーム内で２回送信されるものの、互いに異なったシーケンスで送信されるＳＳＳを検出して無線フレームの境界を検出する。
【００５８】
このように、セル探索／再探索のために、ＵＥは、ｅＮＢからＰＳＳおよびＳＳＳを受信してｅＮＢとの同期を取り、セル識別子（IDentity；ＩＤ）などの情報を取得することができる。その後、ＵＥは、ＰＢＣＨ上でｅＮＢによって管理されるセル（cell）内の放送情報を受信することができる。
【００５９】
ＰＢＣＨのメッセージ内容は、無線リソース制御（Radio Resource Control；ＲＲＣ）層のマスタ情報ブロック（Master Information Block；ＭＩＢ）で表現される。具体的には、ＰＢＣＨのメッセージ内容は、表３のとおりである。
【００６０】
【表３】
0006400598.tif 000004
【００６１】
表３のように、ＭＩＢには、下りリンクシステム帯域幅（ｄｌ−Ｂａｎｄｗｉｄｔｈ、ＤＬ  ＢＷ）、ＰＨＩＣＨ設定、システムフレームナンバ（ＳＦＮ）が含まれる。例えば、ＭＩＢのパラメータのうち、パラメータｄｌ−Ｂａｎｄｗｉｄｔｈ（帯域幅）は、下りリンクにおけるＲＢの数ＮRBを示すパラメータであり、ｎ６は６個のＲＢに対応、ｎ１５は１５個のＲＢに対応する形で下りリンクシステム帯域幅を示すことができる。ＭＩＢのパラメータのうち、パラメータｓｙｔｅｍＦｒａｍｅＮｕｍｂｅｒ（システムフレーム番号）は、ＳＦＮの最上位８ビット（8 most significant bits）を定義する。上記ＳＦＮの最下位２ビット（2 least significant bits）は、ＰＢＣＨの復号によって暗黙的に得ることができる。４０ｍｓ  ＰＢＣＨ  ＴＴＩのタイミングは、最下位２ビットを示すが、例えば、４０ｍｓ  ＰＢＣＨ  ＴＴＩにおいて、１番目の無線フレームは００を、２番目の無線フレームは０１を、３番目の無線フレームは１０を、最後の無線フレームは１１を示す。したがって、ＵＥは、ＰＢＣＨを介してＭＩＢを受信することによって明示的（explicit）にＤＬ  ＢＷ、ＳＦＮ、ＰＨＩＣＨ設定に関する情報がわかる。一方、ＰＢＣＨ受信からＵＥが暗黙的（implicit）にわかる情報には、ｅＮＢの送信アンテナ数（number of transmit antenna ports at eNB）がある。ｅＮＢの送信アンテナ数に関する情報は、ＰＢＣＨのエラー検出に用いられる１６−ビットＣＲＣ（Cyclic Redundancy Check）に送信アンテナ数に対応するシーケンスをマスク（例えば、ＸＯＲ演算）して暗黙的にシグナリングされる。例えば、次のようなアンテナ数別マスキングシーケンスを用いることができる。
【００６２】
【表４】
0006400598.tif 000005
【００６３】
ＰＢＣＨは、セル−固有（cell-specific）スクランブリング（拡散）（scrambling）、変調、レイヤマッピングおよびプリコーディングを経た後、リソース要素にマッピングされる。
【００６４】
図３は、１つの無線フレームを基準とした時のマッピングの一例であり、コーディングされたＰＢＣＨは、事実上、４０ｍｓの間に４個のサブフレームにマッピングされる。４０ｍｓのタイミングは、ブラインド検出されるものであり、４０ｍｓのタイミングに関する明示的なシグナリングは別に存在しない。ＰＢＣＨは、１つのサブフレームにおいて４個のＯＦＤＭシンボルと７２個の副搬送波とにマッピングされる。ＰＢＣＨは、ｅＮＢの実際の送信アンテナ数に関係なく、４個の送信アンテナに対するＲＳが位置するＲＥにはマッピングされない。参考として、図１（ｂ）に示す、ＴＤＤに適用されるフレーム構造の場合にも、ＰＢＣＨは４０ｍｓの間に、４個のサブフレームにマッピングされ、１サブフレームにおいて４個のＯＦＤＭシンボルと７２個の副搬送波とにマッピングされる。ＴＤＤの場合、ＰＢＣＨは、無線フレームのスロット０〜１９のうち、スロット１（サブフレーム０の第２のスロット）およびスロット１１（サブフレーム５の第２のスロット）のＯＦＤＭシンボル０〜３に位置することができる。
【００６５】
一方、ＵＥは、ｅＮＢまたはセルに最初にアクセスしたり、ｅＮＢまたはセルへの信号送信のために割り当てられた無線リソースがない場合、ランダムアクセス手順（random access procedure）を行うことができる。ランダムアクセス手順のために、ＵＥは、ＰＲＡＣＨを介して特定のシーケンスをランダムアクセスプリアンブルとして送信し、ＰＤＣＣＨおよび／またはこれに対応するＰＤＳＣＨを介して上記ランダムアクセスプリアンブルに対する応答メッセージを受信することによって、信号送信に必要な無線リソースの割当てを受けることができる。ランダムアクセス手順でＵＥにＵＥ識別子を設定することができる。例えば、セル無線ネットワーク一時識別子（Cell Radio Network Temporary Identifier；Ｃ−ＲＮＴＩ）は、セル内でＵＥを識別し、一時的、セミパーシステント（semi-persistent）または永続的（permanent）であってもよい。一時Ｃ−ＲＮＴＩは、一時アクセス手順で割り当てられ、競合解決後には永続Ｃ−ＲＮＴＩになり得る。セミパーシステントＣ−ＲＮＴＩは、ＰＤＣＣＨを用いたセミパーシステントリソースをスケジューリングするために用いられ、セミパーシステントスケジューリング（Semi-Persistent Scheduling；ＳＰＳ）Ｃ−ＲＮＴＩとも呼ばれる。永続Ｃ−ＲＮＴＩは、ランダムアクセス手順の競合解決後に割り当てられるＣ−ＲＮＴＩ値であり、動的リソースをスケジューリングするために用いられる。
【００６６】
図４は、無線通信システムで用いられる下りリンクサブフレーム（subframe）構造を例示する図である。
【００６７】
図４を参照すると、ＤＬサブフレームは、時間ドメインにおいて制御領域（control region）とデータ領域（data region）とに区別される。図４を参照すると、サブフレームの第１のスロットで前部に位置する最大３（または、４）個のＯＦＤＭシンボルは、制御チャネルが割り当てられる制御領域（control region）に対応する。以下、ＤＬサブフレームでＰＤＣＣＨ送信に利用可能なリソース領域（resource region）をＰＤＣＣＨ領域と称する。制御領域として用いられるＯＦＤＭシンボル以外の残りのＯＦＤＭシンボルは、ＰＤＳＣＨ（Physical Downlink Shared CHannel）が割り当てられるデータ領域（data region）に該当する。以下、ＤＬサブフレームでＰＤＳＣＨ送信に利用可能なリソース領域をＰＤＳＣＨ領域と称する。３ＧＰＰ  ＬＴＥで用いられるＤＬ制御チャネルの例としては、ＰＣＦＩＣＨ（Physical Control Format Indicator CHannel）、ＰＤＣＣＨ（Physical Downlink Control CHannel）、ＰＨＩＣＨ（Physical hybrid ARQ indicator CHannel）などを含む。ＰＣＦＩＣＨは、サブフレームの最初のＯＦＤＭシンボルで送信され、サブフレーム内で制御チャネルの送信に用いられるＯＦＤＭシンボルの数に関する情報を搬送する。ＰＨＩＣＨは、ＵＬ送信に対する応答としてＨＡＲＱ（Hybrid Automatic Repeat Request）ＡＣＫ／ＮＡＣＫ（ACKnowledgment／Negative-ACKnowledgment）信号を搬送する。
【００６８】
ＰＤＣＣＨで送信される制御情報を下りリンク制御情報（Downlink Control Information；ＤＣＩ）と称する。ＤＣＩは、ＵＥまたはＵＥグループのためのリソース割当て情報および他の制御情報を含む。ＤＬ共有チャネル（DownLink Shared CHannel；ＤＬ−ＳＣＨ）の送信フォーマット（Transmit Format）およびリソース割当て情報は、ＤＬスケジューリング情報またはＤＬグラント（DL grant）とも呼ばれ、ＵＬ共有チャネル（UpLink Shared CHannel；ＵＬ−ＳＣＨ）の送信フォーマットおよびリソース割当て情報は、ＵＬスケジューリング情報またはＵＬグラント（UL grant）とも呼ばれる。１つのＰＤＣＣＨが搬送するＤＣＩは、ＤＣＩフォーマットによってそのサイズおよび用途が異なり、コーディングレートによってそのサイズが異なりうる。ＤＣＩフォーマットのそれぞれの用途に合わせて、ホッピングフラグ、ＲＢ割当て（RB allocation）、ＭＣＳ（Modulation Coding Scheme）、ＲＶ（Redundancy Version）、ＮＤＩ（New Data Indicator）、ＴＰＣ（Transmit Power Control）、巡回シフトＤＭＲＳ（cyclic shift DeModulation Reference Signal）、ＵＬインデックス、ＣＱＩ（Channel Quality Information）要求、ＤＬ割当てインデックス（DL assignment index）、ＨＡＲＱプロセス番号（または、インデックス）、ＴＰＭＩ（Transmitted Precoding Matrix Indicator）、ＰＭＩ（Precoding Matrix Indicator）情報などの制御情報が適宜選択された組合せが下りリンク制御情報としてＵＥに送信される。
【００６９】
複数のＰＤＣＣＨを制御領域内で送信することができる。ＵＥは、複数のＰＤＣＣＨをモニタすることができる。ｅＮＢは、ＵＥに送信されるＤＣＩによってＤＣＩフォーマットを決定し、ＤＣＩにＣＲＣ（Cyclic Redundancy Check）を付加する。ＣＲＣは、ＰＤＣＣＨの所有者または使用目的によって識別子（例えば、ＲＮＴＩ（Radio Network Temporary Identifier））でマスク（または、スクランブル）される。例えば、ＰＤＣＣＨが特定のＵＥのためのものであれば、当該ＵＥの識別子（例えば、Cell-RNTI（Ｃ−ＲＮＴＩ））をＣＲＣにマスクすることができる。ＰＤＣＣＨがページングメッセージのためのものであれば、ページング識別子（例えば、Paging-RNTI（Ｐ−ＲＮＴＩ））をＣＲＣにマスクすることができる。ＰＤＣＣＨがシステム情報（より具体的には、システム情報ブロック（System Information Block；ＳＩＢ））のためのものであれば、ＳＩ−ＲＮＴＩ（System Information RNTI）をＣＲＣにマスクすることができる。ＰＤＣＣＨがランダムアクセス応答のためのものであれば、ＲＡ−ＲＮＴＩ（Random Access-RNTI）をＣＲＣにマスクすることができる。ＣＲＣマスク（または、スクランブル）は、例えば、ビットレベルでＣＲＣとＲＮＴＩとをＸＯＲ演算することを含む。
【００７０】
ＰＤＣＣＨは、１つまたは複数の連続した制御チャネル要素（Control Channel Element；ＣＣＥ）のアグリゲーション（aggregation）上で送信される。ＣＣＥは、ＰＤＣＣＨに無線チャネル状態に基づくコーディングレートを提供するために用いる論理的割当てユニットである。ＣＣＥは、複数のリソース要素グループ（resource element group；ＲＥＧ）に対応する。例えば、１個のＣＣＥは９個のＲＥＧに対応し、１個のＲＥＧは４個のＲＥに対応する。４個のＱＰＳＫシンボルがそれぞれのＲＥＧにマッピングされる。参照信号（ＲＳ）によって占有されたリソース要素（ＲＥ）は、ＲＥＧに含まれない。したがって、与えられたＯＦＤＭシンボル内におけるＲＥＧの数は、ＲＳが存在するか否かによって異なってくる。ＲＥＧの概念は、他の下りリンク制御チャネル（すなわち、ＰＣＦＩＣＨおよびＰＨＩＣＨ）にも用いられる。例えば、ＰＣＦＩＣＨおよびＰＨＩＣＨは、それぞれ、４個のＲＥＧおよび３個のＲＥＧを含む。ＰＣＦＩＣＨまたはＰＨＩＣＨに割り当てられていないＲＥＧの数をＮREGとすれば、システムでＰＤＣＣＨのために利用可能な下りリンクサブフレームにおけるＣＣＥの番号（number）は、０からＮCCE−１までナンバリングされ、ここで、ＮCCE＝ｆｌｏｏｒ（ＮREG／９）である。
【００７１】
ＰＤＣＣＨフォーマットおよびＤＣＩビット数は、ＣＣＥの数によって決定される。ＣＣＥは、番号が付けられて連続して用いられ、復号（decoding）処理を簡単にするために、ｎ個のＣＣＥで構成されたフォーマットを有するＰＤＣＣＨは、ｎの倍数に該当する番号を有するＣＣＥでのみ開始することができる。例えば、ｎ個の連続した（consecutive）ＣＣＥで構成されたＰＤＣＣＨは、‘ｉ  ｍｏｄ  ｎ  ＝０’を満たすＣＣＥ上でのみ開始することができる。ここで、ｉは、ＣＣＥインデックス（または、ＣＣＥ番号）である。
【００７２】
特定のＰＤＣＣＨの送信に用いられるＣＣＥの数は、チャネル状態に基づいてネットワークまたはｅＮＢによって決定される。例えば、良い下りリンクチャネルを有するＵＥ（例えば、ｅＮＢに近接している）のためのＰＤＣＣＨの場合、１個のＣＣＥでも十分でありうる。しかし、劣悪なチャネルを有するＵＥ（例えば、セル境界に近接している）のためのＰＤＣＣＨの場合、十分なロバスト性（robustness）を得るためには、８個のＣＣＥが要求されてもよい。また、ＰＤＣＣＨの電力レベルは、チャネル状態に合わせて調整することができる。
【００７３】
３ＧＰＰ  ＬＴＥ／ＬＴＥ−Ａシステムの場合、各ＵＥのためにＰＤＣＣＨが位置し得るＣＣＥのセット（set）が定義される。ＵＥが自体のＰＤＣＣＨを発見できるＣＣＥセットをＰＤＣＣＨ探索空間、簡単に探索空間（Search Space；ＳＳ）と呼ぶ。探索空間内でＰＤＣＣＨが送信されてもよい個別のリソースをＰＤＣＣＨ候補（candidate）と呼ぶ。ＵＥがモニタ（monitoring）するＰＤＣＣＨ候補のセットは、探索空間として定義する。探索空間は、異なるサイズを有することができ、専用（dedicated）探索空間と共通（common）探索空間とが定義されている。専用探索空間は、ＵＥ固有探索空間（UE-Specific Search Space；ＵＳＳ）であり、それぞれの個別のＵＥのために設定される（configured）。共通探索空間（Common Search Space；ＣＳＳ）は、複数のＵＥのために設定される。次の表は、探索空間を定義するアグリゲーションレベルを羅列したものである。
【００７４】
【表５】
0006400598.tif 000006
【００７５】
ｅＮＢは、探索空間内の任意のＰＤＣＣＨ候補上で実際にＰＤＣＣＨ（ＤＣＩ）を送信し、ＵＥは、ＰＤＣＣＨ（ＤＣＩ）を探すために探索空間をモニタする。ここで、モニタするということは、全てのモニタされるＤＣＩフォーマットによって該当の探索空間内の各ＰＤＣＣＨの復号（decoding）を試みる（attempt）ことを意味する。ＵＥは、上記複数のＰＤＣＣＨをモニタリングし、自体のＰＤＣＣＨを検出することができる。基本的に、ＵＥは、自体のＰＤＣＣＨが送信される位置を知らず、サブフレームごとに該当のＤＣＩフォーマットの全てのＰＤＣＣＨに対して、自体の識別子を有するＰＤＣＣＨを検出するまでＰＤＣＣＨの復号を試みるが、このような処理をブラインド検出（blind detection）またはブラインド復号（Blind Decoding；ＢＤ）という。
【００７６】
例えば、特定のＰＤＣＣＨが“Ａ”というＲＮＴＩ（Radio Network Temporary Identity）でＣＲＣ（Cyclic Redundancy Check）マスク（masking）されており、“Ｂ”という無線リソース（例えば、周波数位置）および“Ｃ”という送信形式情報（例えば、送信ブロックサイズ、変調方式、コーディング情報など）を用いて送信されるデータに関する情報が特定のＤＬサブフレームで送信されると仮定（assume）する。ＵＥは、自体の有しているＲＮＴＩ情報を用いてＰＤＣＣＨをモニタし、“Ａ”というＲＮＴＩを有するＵＥは、ＰＤＣＣＨを検出し、受信したＰＤＣＣＨの情報を用いて“Ｂ”および“Ｃ”によって示されるＰＤＳＣＨを受信する。
【００７７】
受信装置が送信装置からの信号を復元するためには、上記受信装置と送信装置との間のチャネルを推定するための参照信号を必要とする。参照信号は、大きく、復調用参照信号とチャネル測定用参照信号とに分類することができる。３ＧＰＰ  ＬＴＥシステムで定義されたＣＲＳは、復調の目的にも測定の目的にも用いることができる。３ＧＰＰ  ＬＴＥ−Ａシステムでは、ＣＲＳの他に、ＵＥ−固有ＲＳ（以下、ＵＥ−ＲＳ）およびＣＳＩ−ＲＳがさらに定義される。ＵＥ−ＲＳは復調のために、ＣＳＩ−ＲＳはチャネル状態情報を得る（derive）ために用いられる。一方、ＲＳは、ＲＳの存在に対する認識によって、専用ＲＳ（dedicated RS；ＤＲＳ）と共通ＲＳ（common RS）とに区別される。ＤＲＳは、特定のＵＥにのみ知らされ、ＣＲＳは全ＵＥに知らされる。３ＧＰＰ  ＬＴＥシステムで定義されたＣＲＳは共通ＲＳの一種として理解し、ＤＲＳはＵＥ−ＲＳの一種として理解することができる。
【００７８】
参考として、復調は復号処理の一部と見なすことができ、本発明では、復調という用語が復号という用語と同じ意味で使われる。
【００７９】
図５は、セル固有参照信号（Cell specific Reference Signal；ＣＲＳ）とＵＥ固有参照信号（User specific Reference Signal；ＵＥ−ＲＳ）とを例示する図である。特に、図５は、ノーマルＣＰを有するサブフレームのＲＢ対においてＣＲＳおよびＵＥ−ＲＳによって占有されるＲＥを示す図である。
【００８０】
従来の３ＧＰＰ  ＬＴＥシステムでは、ＣＲＳは復調目的および測定目的のいずれにも用いられるため、ＣＲＳは、ＰＤＳＣＨ送信をサポートするセル（cell）内の全下りリンクサブフレームで全下りリンク帯域幅にわたって送信され、ｅＮＢに設定された（configured）全アンテナポートから送信される。
【００８１】
ＵＥは、ＣＲＳを用いてＣＳＩを測定することができ、ＣＲＳを用いて、該ＣＲＳを含むサブフレームでＰＤＳＣＨを介して受信された信号を復調することができる。すなわち、ｅＮＢは、全ＲＢで各ＲＢ内の一定の位置でＣＲＳを送信し、ＵＥは、上記ＣＲＳに基づいてチャネル推定を行った後にＰＤＳＣＨを検出する。例えば、ＵＥは、ＣＲＳ  ＲＥで受信された信号を測定し、該測定された信号と、上記ＣＲＳ  ＲＥ別受信エネルギのＰＤＳＣＨがマッピングされたＲＥ別受信エネルギに対する比を用いて、ＰＤＳＣＨがマッピングされたＲＥからＰＤＳＣＨ信号を検出することができる。しかし、このようにＣＲＳに基づいてＰＤＳＣＨが送信される場合には、ｅＮＢが全ＲＢに対してＣＲＳを送信しなければならず、余計なＲＳオーバーヘッドが発生する。このような問題点を解決するために、３ＧＰＰ  ＬＴＥ−Ａシステムでは、ＣＲＳの他に、ＵＥ−固有ＲＳ（以下、ＵＥ−ＲＳ）およびＣＳＩ−ＲＳをさらに定義する。ＵＥ−ＲＳは復調のために、ＣＳＩ−ＲＳはチャネル状態情報を得る（derive）ために用いられる。ＵＥ−ＲＳは、ＤＲＳの一種として理解することができる。ＵＥ−ＲＳおよびＣＲＳは復調のために用いられるため、用途の側面で復調用ＲＳということができる。ＣＳＩ−ＲＳおよびＣＲＳは、チャネル測定またはチャネル推定に用いられるため、用途の側面では測定用ＲＳということができる。
【００８２】
ＵＥ−ＲＳは、ＰＤＳＣＨの送信のためにサポートされ、アンテナポートｐ＝５、ｐ＝７、ｐ＝８またはｐ＝７，８，．．．，υ＋６（ここで、υは、上記ＰＤＳＣＨの送信のために用いられるレイヤの数）を介して送信される。ＵＥ−ＲＳは、ＰＤＳＣＨ送信が該当のアンテナポートと関連付けられる場合に存在し、ＰＤＳＣＨの復調（demodulation）のみのために有効な（valid）参照（reference）である。ＵＥ−ＲＳは、該当のＰＤＳＣＨがマッピングされたＲＢ上でのみ送信される。すなわち、ＵＥ−ＲＳは、ＰＤＳＣＨが存在するか否かに関係なくサブフレームごとに送信されるように設定されたＣＲＳとは違い、ＰＤＳＣＨがスケジューリングされたサブフレームにおいてＰＤＳＣＨがマッピングされたＲＢでのみ送信されるように設定される。また、ＵＥ−ＲＳは、ＰＤＳＣＨのレイヤの数と関係なく全てのアンテナポートを通して送信されるＣＲＳとは違い、ＰＤＳＣＨのレイヤにそれぞれ対応するアンテナポートを通してのみ送信される。これによって、ＣＲＳに比べてＲＳのオーバーヘッドを減らすことができる。
【００８３】
【数１】
0006400598.tif 000007
【００８４】
【数２】
0006400598.tif 000008
【００８５】
ここで、wp(i)、l'、m'は、次式のように与えられる。
【００８６】
【数３】
0006400598.tif 000009
【００８７】
【数４】
0006400598.tif 000010
【００８８】
【表６】
0006400598.tif 000011
【００８９】
アンテナポートｐ∈｛７，８，．．．，υ＋６｝に対してＵＥ−ＲＳシーケンスｒ(ｍ)は次のように定義される。
【００９０】
【数５】
0006400598.tif 000012
【００９１】
ｃ(ｉ)は、擬似ランダム（pseudo-random）シーケンスであり、長さ−３１のゴールド（Gold）シーケンスによって定義される。長さＭPNである出力シーケンスｃ(ｎ)（ここで、ｎ＝０，１，．．．，ＭPN−１）は、次の式によって定義される。
【００９２】
【数６】
0006400598.tif 000013
【００９３】
【数７】
0006400598.tif 000014
【００９４】
数式３で、ｃ(ｉ)の生成のための擬似ランダムシーケンス生成器は、各サブフレームの先頭で次の式によってｃinitに初期化される。
【００９５】
【数８】
0006400598.tif 000015
【００９６】
【数９】
0006400598.tif 000016
【００９７】
数式５において、ｎSCIDの値は別に特定されない場合０であり、アンテナポート７または８上のＰＤＳＣＨ送信に対して、ｎSCIDは、ＰＤＳＣＨ送信と関連付けられたＤＣＩフォーマット２Ｂまたは２Ｃによって与えられる。ＤＣＩフォーマット２Ｂは、ＵＥ−ＲＳを有するアンテナポートを最大２個まで用いるＰＤＳＣＨのためのリソース指定（resource assignment）のためのＤＣＩフォーマットであり、ＤＣＩフォーマット２Ｃは、ＵＥ−ＲＳを有するアンテナポートを最大８個まで用いるＰＤＳＣＨのためのリソース指定（resource assignment）のためのＤＣＩフォーマットである。
【００９８】
ＤＣＩフォーマット２Ｂの場合、ｎSCIDは、次の表によるスクランブリング識別子フィールドによって指定される。
【００９９】
【表７】
0006400598.tif 000017
【０１００】
ＤＣＩフォーマット２Ｃの場合、ｎSCIDは、次の表によって与えられる。
【０１０１】
【表８】
0006400598.tif 000018
【０１０２】
図６は、無線通信システムで用いられる上りリンク（UpLink；ＵＬ）サブフレーム構造の一例を示す図である。
【０１０３】
図６を参照すると、ＵＬサブフレームは、周波数ドメインで制御領域とデータ領域とに区別できる。１つまたは複数のＰＵＣＣＨ（Physical Uplink Control CHannel）を上りリンク制御情報（Uplink Control Information；ＵＣＩ）を搬送するために上記制御領域に割り当てることができる。１つまたは複数のＰＵＳＣＨ（Physical Uplink Shared CHannel）をユーザデータを搬送するためにＵＬサブフレームのデータ領域に割り当てることができる。
【０１０４】
ＵＬサブフレームでは、ＤＣ（Direct Current）副搬送波から離れている副搬送波が制御領域として使用される。換言すれば、ＵＬ送信帯域幅の両端部に位置する副搬送波が上りリンク制御情報の送信に割り当てられる。ＤＣ副搬送波は、信号送信に用いられないで残される成分であり、周波数アップコンバート処理で搬送波周波数ｆ0にマッピングされる。１つのＵＥに対するＰＵＣＣＨは、１つのサブフレームにおいて、１つの搬送波周波数で動作するリソースに属したＲＢ対に割り当てられ、上記ＲＢ対に属したＲＢは、２つのスロットでそれぞれ異なる副搬送波を占有する。このように割り当てられるＰＵＣＣＨを、ＰＵＣＣＨに割り当てられたＲＢ対がスロット境界で周波数ホッピングすると表現する。ただし、周波数ホッピングが適用されない場合には、ＲＢ対は同一の副搬送波を占有する。
【０１０５】
ＰＵＣＣＨは、次の制御情報を送信するために用いることができる。
【０１０６】
ＳＲ（Scheduling Request）：上りリンクＵＬ−ＳＣＨリソースを要求するために用いられる情報である。ＯＯＫ（On-Off Keying）方式を用いて送信される。
【０１０７】
ＨＡＲＱ−ＡＣＫ：ＰＤＣＣＨに対する応答および／またはＰＤＳＣＨ上の下りリンクデータパケット（例えば、コードワード）に対する応答である。ＰＤＣＣＨまたはＰＤＳＣＨの受信に成功したか否かを示す。単一の下りリンクコードワードに対する応答としてＨＡＲＱ−ＡＣＫ１ビットが送信され、２つの下りリンクコードワードに対する応答とししてＨＡＲＱ−ＡＣＫ２ビットが送信される。ＨＡＲＱ−ＡＣＫ応答は、ポジティブＡＣＫ（肯定応答）（簡単に、ＡＣＫ）、ネガティブＡＣＫ（否定応答）（以下、ＮＡＣＫ）、ＤＴＸ（Discontinuous Transmission）またはＮＡＣＫ／ＤＴＸを含む。ここで、ＨＡＲＱ−ＡＣＫという用語は、ＨＡＲＱ  ＡＣＫ／ＮＡＣＫ、ＡＣＫ／ＮＡＣＫと同じ意味で使われる。
【０１０８】
ＣＳＩ（Channel State Information）：下りリンクチャネルに対するフィードバック情報（feedback information）である。ＣＳＩは、チャネル品質インジケータ（Channel Quality Information；ＣＱＩ）、プリコーディング行列インジケータ（Precoding Matrix Indicator；ＰＭＩ）、プリコーディングタイプインジケータ（precoding type indicator）、および／またはランク指示（インジケータ）（Rank Indication；ＲＩ）を有することができる。これらのうち、ＭＩＭＯ（Multiple Input Multiple Output）関連フィードバック情報は、ＲＩおよびＰＭＩを含む。ＲＩは、ＵＥが同一の時間−周波数リソースを用いて受信できるストリームの数またはレイヤ（layer）の数を意味する。ＰＭＩは、チャネルの空間（space）特性を反映した値であり、ＵＥがＳＩＮＲ（Signal to Interference plus Noise Ratio）などのメトリック（計量）（metric）に基づいて下りリンク信号送信のために好むプリコーディング行列のインデックスを表す。ＣＱＩは、チャネルの強度を示す値であり、通常、ｅＮＢがＰＭＩを用いたときにＵＥによって得られる受信ＳＩＮＲを表す。
【０１０９】
ＵＥが上りリンク送信にＳＣ−ＦＤＭＡ方式を採択する場合、単一搬送波特性を維持するために、３ＧＰＰ  ＬＴＥリリース（release）８またはリリース９システムでは、１つの搬送波上でＰＵＣＣＨとＰＵＳＣＨとを同時に送信することができない。３ＧＰＰ  ＬＴＥリリース１０システムでは、ＰＵＣＣＨとＰＵＳＣＨとの同時送信をサポートするか否かを上位レイヤで知らせることができる。
【０１１０】
本発明は、ＰＤＣＣＨおよびＰＵＣＣＨと上記ＰＤＣＣＨによってスケジューリングされたＰＤＳＣＨおよび／またはＰＵＳＣＨとだけでなく、ＥＰＤＣＣＨおよびＰＵＳＣＨと上記ＥＰＤＣＣＨによってスケジューリングされたＰＤＳＣＨおよび／またはＰＵＳＣＨとにも適用することができる。
【０１１１】
図７は、ＰＤＣＣＨ（Physical Downlink Control CHannel）またはＥＰＤＣＣＨ（Enhanced PDCCH）と、ＰＤＣＣＨ／ＥＰＤＣＣＨによってスケジューリングされるデータチャネルとを例示する図である。特に、図７は、ＥＰＤＣＣＨがサブフレームの４番目のシンボル（ＯＦＤＭシンボル＃３）から始まって最後のシンボルまでスパン（span）して（わたって）設定された場合を例示している。ＥＰＤＣＣＨは、連続する（continuous）周波数リソースを用いて設定（configure）されてもよく、周波数ダイバーシティのために不連続の（discontinuous）周波数リソースを用いて設定されてもよい。
【０１１２】
図７を参照すると、ＰＤＣＣＨ１およびＰＤＣＣＨ２は、それぞれＰＤＳＣＨ１およびＰＤＳＣＨ２をスケジューリングし、ＥＰＤＣＣＨは、他のＰＤＳＣＨをスケジューリングすることができる。ＰＤＣＣＨと同様に、ＥＰＤＣＣＨに対しても特定のリソース割当てユニットを定義し、該定義されたリソース割当てユニットの組合せでＥＰＤＣＣＨを設定することができる。このように特定のリソース割当てユニットを用いる場合、チャネル状態が良いと、少数のリソース割当てユニットを用いてＥＰＤＣＣＨを設定し、チャネル状態が悪いと、多数のリソース割当てユニットを用いてＥＰＤＣＣＨを設定することができ、よって、リンク適応（link adaptation）を行うことができるという長所がある。以下では、ＰＤＣＣＨの基本ユニットであるＣＣＥと区別するために、ＥＰＤＣＣＨの基本ユニットをＥＣＣＥ（enhanced CCE）と称する。以下では、ＥＰＤＣＣＨのアグリゲーションレベルがＬであれば、ＥＰＤＣＣＨがＬ個のＥＣＣＥのアグリゲーション上で送信されると仮定する。すなわち、ＰＤＣＣＨのアグリゲーションレベルと同様に、ＥＰＤＣＣＨのアグリゲーションレベルも１つのＤＣＩ送信のために用いられるＥＣＣＥの数を意味する。以下、ＵＥが自体のＥＰＤＣＣＨを発見し得るＥＣＣＥのセットをＥＰＤＣＣＨ探索空間と称する。ＥＰＤＣＣＨが搬送するＤＣＩは、単一レイヤにマッピングされてプリコーディングされる。
【０１１３】
ＥＰＤＣＣＨを構成するＥＣＣＥは、ＥＣＣＥのＲＥへのマッピングによってローカル（局所）（localized）ＥＣＣＥ（以下、Ｌ−ＥＣＣＥ）と分散（distributed）ＥＣＣＥ（以下、Ｄ−ＥＣＣＥ）とに区別できる。ローカルマッピングのために、Ｌ−ＥＣＣＥは、ＥＣＣＥを構成するＲＥがいずれも同一のＰＲＢ対から抽出される。Ｌ−ＥＣＣＥを用いてＥＰＤＣＣＨが設定される場合、各ＵＥに対して最適化されたビームフォーミングを行うことができるという長所がある。一方、分散マッピングのために、Ｄ−ＥＣＣＥは、ＥＣＣＥを構成するＲＥが異なったＰＲＢ対から抽出される。Ｌ−ＥＣＣＥとは違い、ビームフォーミングには制約があるが、Ｄ−ＥＣＣＥは、周波数ダイバーシティが取得できるという長所がある。ローカルマッピングの場合、ＥＰＤＣＣＨ送信のために用いられる単一アンテナポートｐ∈｛１０７，１０８，１０９，１１０｝は、ＥＰＤＣＣＨを定義するＥＣＣＥのインデックスの関数（function）である。分散マッピングの場合、ＥＲＥＧ内各ＲＥは、２個のアンテナポートのうちの１つと交互に関連付けられる。
【０１１４】
ＣＲＳベースで送信されるＰＤＣＣＨとは違い、ＥＰＤＣＣＨは、復調ＲＳ（以下、ＤＭ−ＲＳ）ベースで送信される。したがって、ＵＥは、ＰＤＣＣＨをＣＲＳに基づいて復号／復調し、ＥＰＤＣＣＨをＤＭ−ＲＳに基づいて復号／復調する。ＥＰＤＣＣＨと関連付けられたＤＭ−ＲＳは、ＥＰＤＣＣＨ物理リソースと同じアンテナポートｐ∈｛１０７，１０８，１０９，１１０｝上で送信され、上記ＥＰＤＣＣＨが該当のアンテナポートと関連付けられた場合にのみ、上記ＥＰＤＣＣＨの復調のために存在し、上記ＥＰＤＣＣＨがマッピングされたＰＲＢ上でのみ送信される。
【０１１５】
【数１０】
0006400598.tif 000019
【０１１６】
【数１１】
0006400598.tif 000020
【０１１７】
ここで、 wp(i)、l'、m'は、次の式によって与えることができる。
【０１１８】
【数１２】
0006400598.tif 000021
【０１１９】
【数１３】
0006400598.tif 000022
【０１２０】
【表９】
0006400598.tif 000023
【０１２１】
例えば、図５でアンテナポート７または８のＵＥ−ＲＳによって占有されたＲＥが、ＥＰＤＣＣＨがマッピングされたＰＲＢ上ではアンテナポート１０７または１０８のＤＭ−ＲＳによって占有され、図５でアンテナポート９または１０のＵＥ−ＲＳによって占有されたＲＥが、ＥＰＤＣＣＨがマッピングされたＰＲＢ上ではアンテナポート１０９または１１０のＤＭ−ＲＳによって占有されうる。結局、ＰＤＳＣＨの復調のためのＵＥ−ＲＳと同様に、ＥＰＤＣＣＨの復調のためのＤＭ−ＲＳも、ＥＰＤＣＣＨのタイプおよびレイヤの数が同一であれば、ＵＥまたはセルに関係なく、ＲＢ対ごとに一定数のＲＥがＤＭ−ＲＳ送信に用いられる。以下では、ＰＤＣＣＨまたはＥＰＤＣＣＨを単純にＰＤＣＣＨと総称する。ＰＤＣＣＨに適用される本発明の実施例は、ＥＰＤＣＣＨにも同様の方式で適用することができる。
【０１２２】
アンテナポートｐ∈｛７，８，．．．，υ＋６｝に対してＥＰＤＣＣＨのためのＤＭ−ＲＳシーケンスｒ(ｍ)は、数式３によって定義される。数式３の擬似ランダムシーケンスｃ(ｉ)は数式４によって定義され、ｃ(ｉ)を生成するための擬似ランダムシーケンス生成器は、各サブフレームの先頭で次の式によってｃinitに初期化される。
【０１２３】
【数１４】
0006400598.tif 000024
【０１２４】
ＥＰＤＣＣＨ  ＤＭＲＳスクランブリングシーケンス初期化パラメータｎEPDCCHSCIDは、上位層信号によって提供される。
【０１２５】
図８は、本発明を実行する送信装置１０および受信装置２０の構成要素を示すブロック図である。
【０１２６】
送信装置１０および受信装置２０は、情報および／またはデータ、信号、メッセージなどを搬送する無線信号を送信または受信できる無線周波数（Radio Frequency；ＲＦ）ユニット１３，２３と、無線通信システムにおける通信と関連付けられた各種情報を記憶するメモリ１２，２２と、上記ＲＦユニット１３，２３およびメモリ１２，２２などの構成要素と動作的に連結され、上記構成要素を制御して該当装置が前述した本発明の実施例の少なくとも１つを行うようにメモリ１２，２２および／またはＲＦユニット１３，２３を制御するように構成された（configured）プロセッサ１１，２１と、をそれぞれ備える。
【０１２７】
メモリ１２，２２は、プロセッサ１１，２１の処理および制御のためのプログラムを格納することができ、入／出力される情報を一時的に記憶することができる。メモリ１２，２２をバッファとして使用することができる。
【０１２８】
プロセッサ１１，２１は、通常、送信装置または受信装置内の各種モジュールの全般的動作を制御する。特に、プロセッサ１１，２１は、本発明を実行するための各種の制御機能を実行することができる。プロセッサ１１，２１は、コントローラ（controller）、マイクロコントローラ（microcontroller）、マイクロプロセッサ（microprocessor）、マイクロコンピュータ（microcomputer）などと呼ぶこともできる。プロセッサ１１，２１は、ハードウェア（hardware）、ファームウェア（firmware）、ソフトウェア、またはそれらの組み合わせによって具現することができる。ハードウェアを用いて本発明を具現する場合には、本発明を実行するように構成されたＡＳＩＣｓ（Application Specific Integrated Circuits）、ＤＳＰｓ（Digital Signal Processors）、ＤＳＰＤｓ（Digital Signal Processing Devices）、ＰＬＤｓ（Programmable Logic Devices）、ＦＰＧＡｓ（Field Programmable Gate Arrays）などをプロセッサ４００ａ，４００ｂに具備することができる。一方、ファームウェアやソフトウェアを用いて本発明を具現する場合には、本発明の機能または動作を実行するモジュール、手順または関数などを含むようにファームウェアやソフトウェアを構成することができ、本発明を実行するように構成されたファームウェアまたはソフトウェアは、プロセッサ１１，２１内に設けられてもよく、メモリ１２，２２に記憶されてプロセッサ１１，２１によって駆動されてもよい。
【０１２９】
送信装置１０のプロセッサ１１は、プロセッサ１１またはプロセッサ１１と接続されたスケジューラからスケジューリングされて外部に送信される信号および／またはデータに対して、所定のコーディング（coding）および変調（modulation）を行った後にＲＦユニット１３に送信する。例えば、プロセッサ１１は、送信しようとするデータ列を逆多重化およびチャネルコーディング、スクランブリング、変調処理などを経てＮlayer個のレイヤに変換する。コーディングされたデータ列はコードワードとも呼ばれ、ＭＡＣ層の提供するデータブロックである送信ブロックと等価である。１つの送信ブロック（transport block；ＴＢ）は１つのコードワードにコーディングされ、各コードワードは、１つまたは複数のレイヤの形態で受信装置に送信される。周波数アップコンバートのために、ＲＦユニット１３はオシレータ（oscillator）を備えることができる。ＲＦユニット１３は、Ｎt個（Ｎtは１以上の正の整数）の送信アンテナを有することができる。
【０１３０】
受信装置２０の信号処理過程は、送信装置１０の信号処理過程の逆に構成される。プロセッサ２１の制御下で、受信装置２０のＲＦユニット２３は送信装置１０によって送信された無線信号を受信する。ＲＦユニット２３はＮr個の受信アンテナを有することができ、ＲＦユニット２３は、受信アンテナで受信した信号のそれぞれを周波数ダウンコンバート（frequency down-convert）して基底帯域（ベースバンド）（baseband）信号に復元する。ＲＦユニット２３は、周波数ダウンコンバートのためにオシレータを備えることができる。プロセッサ２１は、受信アンテナで受信した無線信号に対する復号（decoding）および復調（demodulation）を行い、送信装置１０が本来送信しようとしたデータを復元することができる。
【０１３１】
ＲＦユニット１３，２３は、１つまたは複数のアンテナを具備する。アンテナは、プロセッサ１１，２１の制御下で、本発明の一実施例によって、ＲＦユニット１３，２３によって処理された信号を外部に送信したり、外部から無線信号を受信してＲＦユニット１３，２３に伝達する機能を果たす。アンテナは、アンテナポートとも呼ばれる。各アンテナは、１つの物理アンテナに該当してもよく、１つよりも多い物理アンテナ要素（element）の組合せによって構成されてもよい。各アンテナから送信された信号は、受信装置２０でそれ以上分解することができない。該当するアンテナに対応して送信された参照信号（reference signal；ＲＳ）は、受信装置２０の観点で見たアンテナを定義し、チャネルが１つの物理アンテナからの単一（single）無線チャネルかまたは上記アンテナを含む複数の物理アンテナ要素（element）からの合成（composite）チャネルかに関係なく、上記受信装置２０にとって上記アンテナに対するチャネル推定を可能にする。すなわち、アンテナは、上記アンテナ上のシンボルを伝達するチャネルが、上記同一アンテナ上の他のシンボルが伝達される上記チャネルから導出されうるように定義される。複数のアンテナを用いてデータを送受信する多入力多出力（Multi-Input Multi-Output；ＭＩＭＯ）機能をサポートするＲＦユニットの場合は、２個以上のアンテナと接続することができる。
【０１３２】
本発明の実施例において、ＵＥは、上りリンクでは送信装置１０として動作し、下りリンクでは受信装置２０として動作する。本発明の実施例において、ｅＮＢは、上りリンクでは受信装置２０として動作し、下りリンクでは送信装置１０として動作する。以下、ＵＥに具備されたプロセッサ、ＲＦユニットおよびメモリを、ＵＥプロセッサ、ＵＥ  ＲＦユニットおよびＵＥメモリとそれぞれ称し、ｅＮＢに具備されたプロセッサ、ＲＦユニットおよびメモリを、ｅＮＢプロセッサ、ｅＮＢ  ＲＦユニットおよびｅＮＢメモリとそれぞれ称する。
【０１３３】
図９は、物理チャネル処理の概要（overview）を例示する図である。物理上りリンク共有チャネルまたは物理下りリンク共有チャネルを表す（represent）基底帯域（baseband）信号は、図９の処理過程によって定義することができる。
【０１３４】
図９を参照すると、送信装置は、スクランブラ３０１および変調マッパ３０２、レイヤマッパ３０３、プリコーダ３０４、リソース要素マッパ３０５、ＯＦＤＭ信号生成器３０６を備えることができる。
【０１３５】
送信装置１０は、１つまたは複数のコードワード（codeword）を送信することができるが、各コードワードのコーディングされたビット（coded bits）は、それぞれ、スクランブラ３０１によってスクランブルされて物理チャネル上で送信される。
【０１３６】
スクランブルされたビットは、変調マッパ３０２によって複素変調シンボル（complex-valued modulation symbols）に変調される。該変調マッパは、上記のスクランブルされたビットを、予め決定された変調方式によって変調して、信号コンステレーション（signal constellation）上の位置を表現する複素変調シンボルとすることができる。変調方式（modulation scheme）に制限はなく、ｍ−ＰＳＫ（m-Phase Shift Keying）またはｍ−ＱＡＭ（m-Quadrature Amplitude Modulation）などを上記のコーディングされたデータの変調に用いることができる。
【０１３７】
上記の複素変調シンボルは、レイヤマッパ３０３によって１つまたは複数の送信レイヤにマッピングされる。
【０１３８】
各レイヤ上の複素変調シンボルは、アンテナポート上での送信のためにプリコーダ３０４によってプリコーディングされる。具体的には、プリコーダ３０４は、複素変調シンボルをマルチ送信アンテナによるＭＩＭＯ方式で処理してアンテナ固有のシンボルを出力し、これらのアンテナ固有のシンボルを該当のリソース要素マッパ３０５に分配する。すなわち、送信レイヤのアンテナポートへのマッピングはプリコーダ３０４によって行われる。プリコーダ３０４は、レイヤマッパ３０３の出力ｘをＮt×Ｍtのプリコーディング行列ＷとかけてＮt×ＭFの行列ｚとして出力することができる。ここで、Ｎtは送信アンテナの数に該当し、Ｍtはレイヤの数に該当する。プリコーディング行列によって異なるプリコーダ３０４が設定（configure）されるため、本発明では、信号に適用されるプリコーディング行列が同一であれば、同一のプリコーダが適用されると表現し、信号に適用されるプリコーディング行列が異なる場合、異なるプリコーダが適用されると表現する。
【０１３９】
リソース要素マッパ３０５は、各アンテナポートに対する複素変調シンボルを適切なリソース要素（resource elements）にマッピング／割当てする。リソース要素マッパ３０５は、各アンテナポートに対する複素変調シンボルを適切な副搬送波に割り当て、ＵＥによって多重化することができる。
【０１４０】
ＯＦＤＭ信号生成器３０６は、上記各アンテナポートに対する複素変調シンボル、すなわち、アンテナ固有のシンボルをＯＦＤＭまたはＳＣ−ＦＤＭ方式で変調し、複素時間ドメイン（complex-valued time domain）ＯＦＤＭ（Orthogonal Frequency Division Multiplexing）シンボル信号またはＳＣ−ＦＤＭ（Single Carrier Frequency Division Multiplexing）シンボル信号を生成する。ＯＦＤＭ信号生成器３０６は、アンテナ固有シンボルに対してＩＦＦＴ（Inverse Fast Fourier Transform）を行うことができ、ＩＦＦＴされた時間ドメインシンボルにはＣＰ（Cyclic Prefix）を挿入することができる。ＯＦＤＭシンボルは、デジタル−アナログ（digital-to-analog）変換、周波数アップコンバートなどを経て、各送信アンテナから受信装置２０に送信される。ＯＦＤＭ信号生成器３０６は、ＩＦＦＴモジュールおよびＣＰ挿入器、ＤＡＣ（Digital-to-Analog Converter）、周波数アップコンバータ（frequency upconverter）などを備えることができる。
【０１４１】
一方、ＵＥまたはｅＮＢがコードワードの送信にＳＣ−ＦＤＭ接続（ＳＣ−ＦＤＭＡ）方式を採択する場合、送信器またはプロセッサは、離散フーリエ変換器（Discrete Fourier Transform）モジュール（３０７）（または、高速フーリエ変換器（Fast Fourier Transform）モジュール）を備えることができる。離散フーリエ変換器は、上記のアンテナ固有シンボルにＤＦＴ（Discrete Fourier Transform）またはＦＦＴ（Fast Fourier Transform）（以下、ＤＦＴ／ＦＦＴ）を行い、ＤＦＴ／ＦＦＴされたシンボルをリソース要素マッパ３０５に出力する。
【０１４２】
受信装置２０の信号処理過程は、以上で説明した送信機の信号処理過程と逆順に構成される。具体的には、受信装置２０は、受信した信号を基底帯域信号に復元するための信号復元器、受信処理された信号を組み合わせて多重化する多重化器、多重化された信号列を該当するコードワードに復調するチャネル復調器を備えることができる。信号復元器、多重化器およびチャネル復調器は、それらの機能を持つ統合された１つのモジュールまたはそれぞれの独立したモジュールで構成することができる。例えば、信号復元器は、アナログ信号をデジタル信号に変換するＡＤＣ（Analog-to-Digital Converter）、デジタル信号からＣＰを除去するＣＰ除去器、ＣＰの除去された信号にＦＦＴ（Fast Fourier Transform）を適用して周波数ドメインシンボルを出力するＦＦＴモジュール、周波数ドメインシンボルをアンテナ固有シンボルに復元するリソース要素デマッパ（resource element demapper）／等化器（equalizer）を備えることができる。上記アンテナ固有シンボルは、多重化器によって送信レイヤに復元され、該送信レイヤは、チャネル復調器によって送信装置が送信しようとしたコードワードに復元される。
【０１４３】
一方、受信装置２０がＳＣ−ＦＤＭＡ方式によって送信された信号を受信する場合、受信装置２０は、逆離散フーリエ変換（Inverse Discrete Fourier Transform、ＩＤＦＴ）モジュール（または、ＩＦＦＴモジュール）をさらに備える。ＩＤＦＴ／ＩＦＦＴモジュールは、リソース要素デマッパによって復元されたアンテナ固有シンボルにＩＤＦＴ／ＩＦＦＴを行い、ＩＤＦＴ／ＩＦＦＴされたシンボルを多重化器に出力する。
【０１４４】
参考として、送信装置１０のプロセッサ１１は、スクランブラ３０１、変調マッパ３０２、レイヤマッパ３０３、プリコーダ３０４、リソース要素マッパ３０５、ＯＦＤＭ信号生成器３０６を備えるように構成することができる。同様に、受信装置２０のプロセッサ２１は、信号復元器、多重化器およびチャネル復調器を備えるように構成することができる。
【０１４５】
近年、マシンタイプ通信（Machine Type Communication；ＭＴＣ）が重要な通信標準化の課題として台頭している。ＭＴＣとは、主に、人間の介入を伴わずにまたは人間の介入を最小化して機械（machine）とｅＮＢとの間で行われる情報交換を意味する。例えば、ＭＴＣは、計器検針、水位測定、監視カメラの使用、自販機の在庫報告などの測定／検知／報告などのデータ通信などに用いることができ、所定の特性を共有する複数のＵＥに対する自動アプリケーションまたはファームウェアの更新処理などに用いることができる。ＭＴＣの場合、送信データ量が少なく、上りリンク／下りリンクデータ送信または受信（以下、送信／受信）が時折発生する。このようなＭＴＣの特性上、ＭＴＣのためのＵＥ（以下、ＭＴＣ  ＵＥ）は、低いデータ伝送率に対応して、ＵＥの製作単価を下げ、バッテリ消耗を減らす方が効率的である。また、このようなＭＴＣ  ＵＥは、移動性が少なく、よってチャネル環境がほとんど変わらない特性を有する。ＭＴＣ  ＵＥが計量、検針、監視などに用いられる場合、ＭＴＣ  ＵＥは、通常のｅＮＢのカバレッジが届かない位置、例えば、地下、倉庫または山間などに位置する可能性が高い。このようなＭＴＣ  ＵＥの用途からして、ＭＴＣ  ＵＥのための信号は、従来のＵＥ（以下、レガシＵＥ）のための信号に比べて広いカバレッジを有することが好ましい。
【０１４６】
ＭＴＣ  ＵＥの用途からすれば、ＭＴＣ  ＵＥはレガシＵＥに比べて広いカバレッジの信号を必要とする可能性が高い。このため、ｅＮＢがレガシＵＥに送信する方式と同一の方式でＰＤＣＣＨ、ＰＤＳＣＨなどをＭＴＣ  ＵＥに送信する場合、ＭＴＣ  ＵＥにとってはその受信が難しい。そこで、本発明では、ＭＴＣ  ＵＥがｅＮＢの送信する信号を有効に受信できるようにするために、ｅＮＢが、カバレッジ問題（coverage issue）があるＭＴＣ  ＵＥに信号を送信する際、サブフレーム反復（信号を有するサブフレームを反復）、サブフレームバンドリングなどのカバレッジ強化（coverage enhancement）のための方式を適用することを提案する。例えば、カバレッジ問題のあるＭＴＣ  ＵＥには、ＰＤＣＣＨおよびＰＤＳＣＨを複数（例えば、約１００個）のサブフレームで送信することができる。ただし、この場合、ＰＤＣＣＨが送信されたサブフレームでＰＤＳＣＨが送信されると、ＵＥは、ＰＤＣＣＨの受信に成功するまで、ＰＤＣＣＨが送信された全てのサブフレームに対するＰＤＳＣＨをバッファしておかなければならないという問題がある。また、ＰＤＣＣＨが複数のサブフレームのそれぞれで送信され、ＵＥが複数のサブフレームでＰＤＣＣＨの受信に成功した場合、ＵＥは、同一のＤＣＩを搬送するＰＤＣＣＨの送信が始まるサブフレームを把握できないという問題がある。本発明では、カバレッジ問題を持つＭＴＣ  ＵＥのための信号を送信する処理で発生しうる上記のような問題を解決する方法を提案する。以下に説明される本発明の実施例は、カバレッジ強化のための方法であるから、ＭＴＣ  ＵＥだけでなく、カバレッジ問題がある他のＵＥにも適用することができる。したがって、本発明の実施例は、カバレッジ強化モードで動作するＵＥに適用することができる。ただし、説明の便宜のために、以下の説明では、本発明に係るカバレッジ強化方法を実施できるように具現されたＵＥをＭＴＣ  ＵＥと称し、本発明に係るカバレッジ強化方法を実施できるように具現されていないＵＥをレガシＵＥと称する。
【０１４７】
以下、受信装置２０が相互に組み合わせて復号に利用できる信号送信が起きうるサブフレームのセットを、サブフレームバンドルと称する。例えば、同一のＤＣＩを搬送するＰＤＣＣＨ送信が起きうるサブフレームセットを、ＰＤＣＣＨ送信のためのサブフレームバンドルということができる。また、同一のデータ／情報／コンテンツが複数のサブフレームのそれぞれで送信されるＰＤＣＣＨ／ＰＤＳＣＨ／ＰＢＣＨ／ＰＵＣＣＨ／ＰＵＳＣＨを、ＰＤＣＣＨ／ＰＤＳＣＨ／ＰＢＣＨ／ＰＵＣＣＨ／ＰＵＳＣＨバンドルと称する。また、ＰＤＣＣＨ／ＰＤＳＣＨ／ＰＢＣＨ／ＰＵＣＣＨ／ＰＵＳＣＨバンドル送信が起きうるサブフレームを、特に、ＰＤＣＣＨ／ＰＤＳＣＨ／ＰＢＣＨ／ＰＵＣＣＨ／ＰＵＳＣＨサブフレームバンドルと称する。従来のＬＴＥ／ＬＴＥ−Ａシステムの場合、連続した（下りリンクまたは上りリンク）サブフレームのそれぞれで送信される物理チャネルは、併せて復号されて１つの情報／データに復元されるのではなく、個別に復号される。これに対し、本発明に係るＰＤＣＣＨ／ＰＤＳＣＨ／ＰＢＣＨ／ＰＵＣＣＨ／ＰＵＳＣＨバンドル送信は、該当バンドル内の複数のサブフレームの該当物理チャネルが互いに同一かまたは組み合わされうる情報／データ／コンテンツを搬送する。したがって、本発明に係るＵＥは、サブフレームバンドルに属した１つのサブフレームで受信した物理チャネルを復号することもでき、上記サブフレームバンドル内の複数のサブフレームのそれぞれで反復受信した物理チャネルを併せて復号に用いることもできる。ＵＥによる物理チャネルの反復送信または受信の最大回数は、サブフレームバンドルのサイズに対応し得る。
【０１４８】
＜Ａ．  複数のサブフレーム上でのＰＤＣＣＨ＞
◆  ＰＤＣＣＨの送信
図１０は、本発明の実施例Ａに係る信号送信／受信方法を例示する図である。
【０１４９】
ＭＴＣ  ＵＥのためのＰＤＣＣＨは、カバレッジ強化のために多数のサブフレームで反復的に送信されてもよい。ＵＥは、複数のサブフレームがバンドリングされたサブフレームバンドルでＰＤＣＣＨを反復受信し、上記複数のサブフレームで反復受信されたＰＤＣＣＨの信号を共に用いてＰＤＣＣＨの受信に成功することができる。例えば、図１０（ａ）に示すように、ＰＤＣＣＨはＮ個のサブフレームのバンドルで反復して送信されうる。ＵＥは、それらうち、ｎ個（１≦ｎ≦Ｎ）のサブフレームを用いてＰＤＣＣＨの受信に成功することができる。
【０１５０】
ＰＤＣＣＨが送信されるサブフレームバンドルに含まれるサブフレームの数であるＮは、常にセル−固有の値であってもよい。このため、ＳＩＢなどのセル−固有のデータ送信のためのＰＤＣＣＨの送信またはＵＥ−固有のデータ送信のためのＰＤＣＣＨの送信のためのサブフレームバンドルのサイズはいずれもセル−固有であってもよい。このとき、ＰＤＣＣＨが送信されるサブフレームバンドルのサイズＮは、事前に定義された固定値であってもよい。或いは、ＭＩＢまたはＳＩＢを通じてＵＥに設定される値であってもよい。このようなＰＤＣＣＨ送信サブフレームバンドルは、連続したサブフレームで構成されてもよいが、不連続のサブフレームで構成されてもよい。
【０１５１】
ＰＤＣＣＨが送信されるサブフレームバンドルのサイズＮは、ＳＩＢなどのセル−固有のデータ送信のためのＰＤＣＣＨの送信のためにはセル−固有の値であるが、ＵＥ−固有のデータ送信のためのＰＤＣＣＨの送信のためにはＵＥ−固有の値であってもよい。このとき、ＵＥ−固有にＰＤＣＣＨが送信されるサブフレームバンドルのサイズＮは、ＲＲＣ信号などの上位層信号を通じてＵＥに設定されてもよい。或いは、予め固定されて（pre-fixed）ｅＮＢとＵＥとの間に予め記憶されてもよい。
【０１５２】
ＵＥが、複数のサブフレームからなるサブフレームバンドルでＰＤＣＣＨを複数回受信するためには、ＰＤＣＣＨがある（with）サブフレームバンドルの開始位置を知っていなければならない。従来のＬＴＥ／ＬＴＥ−システムのＰＤＣＣＨは、図４で説明したように、各ＤＬサブフレームで送信することができる。したがって、従来のＬＴＥ／ＬＴＥ−Ａシステムにおいて、ＰＤＣＣＨは、ｅＮＢが必要時に任意の（arbitrary）ＤＬサブフレームで送信することができ、ＵＥは各ＤＬサブフレームでＰＤＣＣＨを受信することができるという仮定の下に、各ＤＬサブフレームでＰＤＣＣＨの復号を試みる。これに対し、本発明によれば、ＰＤＣＣＨの送信は、任意のサブフレームで開始されず、事前に約束されたサブフレームでのみ開始される。或いは、このようなＰＤＣＣＨバンドルの送信開始サブフレーム位置は、固定された値に定義することができる。この固定された値は、ＭＩＢを通じて送信することができる。例えば、‘ＳＦＮ  ％  Ｎ＝０’（ここで、％はモジューロ演算子を表す）を満たすＳＦＮを有するサブフレームでのみ開始すると仮定すれば、Ｎ値をＭＩＢを通じて送信することができる。‘ＳＦＮ  ％  Ｎ＝オフセット’を満たすＳＦＮを有するサブフレームでのみ開始すると仮定すれば、オフセット値をＭＩＢを通じて送信することができる。例えば、カバレッジ問題があるＭＴＣ  ＵＥのためのＰＤＣＣＨ送信は、１００の倍数に該当するＳＦＮを有するサブフレーム（サブフレーム、０番、１００番、２００番、３００番、…）でのみ開始することができるが、ＵＥは、１００の倍数に該当するＳＦＮを有するＳＦＮからＮ個のサブフレームを通じてＰＤＣＣＨの受信を試みることができる。特徴として、ＰＤＣＣＨバンドルの送信が始まりうるサブフレーム位置はＵＥ−固有であってもよい。この場合、ＰＤＣＣＨバンドルの送信が始まりうるサブフレーム位置に関する情報は、ＲＲＣなどの上位層信号を通じて事前に設定されてもよい。ＵＥは、ＰＤＣＣＨバンドルの送信開始位置に関する情報（例えば、オフセットおよび／またはＮ）に基づいてＰＤＣＣＨバンドルの送信開始サブフレームから始めてＮ個のサブフレームの間に該当のＰＤＣＣＨの受信および／または復号を試みることができる。上記ＰＤＣＣＨがＤＬグラントを搬送すると、上記ＵＥは、本発明に係るＰＤＳＣＨ送信用サブフレームで上記ＤＬグラントによるＰＤＳＣＨの受信および／または復号を試みることができる。上記ＰＤＣＣＨがＵＬグラントを搬送すると、上記ＵＥは、本発明に係るＰＵＳＣＨ送信用サブフレームで上記ＵＬグラントによるＰＵＳＣＨの送信および／または復号を試みることができる。
【０１５３】
ＰＤＣＣＨが複数のサブフレームのバンドル（a bundle of multiple subframes）を通じて送信される場合、図１０（ｂ）に示すように、ＰＤＣＣＨは、ＰＤＣＣＨ送信期間（duration）の全体または一部のサブフレームのそれぞれを通じて送信されてもよい。このとき、本発明は、ＰＤＣＣＨ送信開始サブフレームからＰＤＣＣＨ送信終了サブフレームまでのＰＤＣＣＨ送信期間に送信されるＰＤＣＣＨのＵＥ−固有探索空間またはＰＤＣＣＨ送信リソースに制限をおくことを提案する。
【０１５４】
ＵＥがモニタするＰＤＣＣＨ候補セットは、探索空間（Search Space：ＳＳ）の面で定義されるが、アグリゲーションレベルＬ∈｛１，２，４，８｝において一探索空間Ｓ(L)kは、ＰＤＣＣＨ候補セットによって定義される。ＰＤＣＣＨがモニタされる各サービングセルに対して、探索空間Ｓ(L)kのＰＤＣＣＨ候補ｍに対応するＣＣＥは、次の式によって与えられる。
【０１５５】
【数１５】
0006400598.tif 000025
【０１５６】
ここで、Ｙkは、次のように定義することができ、ｉ＝０，．．．，Ｌ−１である。共通ＳＳの場合、ｍ´＝ｍである。ＵＥ  ＳＳの場合、ＰＤＣＣＨがモニタされるサービングセルに対して、モニタするＵＥに搬送波指示フィールドが設定されると、例えば、ＵＥに、ＰＤＣＣＨに搬送波指示フィールドが存在することを上位層で知らせると、ｍ´＝ｍ＋Ｍ(L)・ｎCIであり、ここで、ｎCIは、搬送波指示フィールド値である。上記搬送波指示フィールド値は、該当サービングセルのサービングセルインデックス（ＳｅｒｖＣｅｌｌＩｎｄｅｘ）と同一である。サービングセルインデックスは、サービングセルを識別するために用いられる短い識別子（short identity）であり、例えば、０から‘ＵＥに一度に設定され得る搬送波周波数の最大数−１’までの整数のうちのいずれか１つが、サービングセルインデックスとして１つのサービングセルに割り当てられうる。すなわち、サービングセルインデックスは、全搬送波周波数のうちの特定の搬送波周波数を識別するために用いられる物理インデックスというよりは、ＵＥに割り当てられたセルのうちの特定のサービングセルを識別するために用いられる論理インデックスということができる。一方、ＵＥに搬送波指示フィールド（Carrier Indicator Field；ＣＩＦ）が設定されない場合、ｍ´＝ｍであり、ここで、ｍ＝０，．．．，Ｍ(L)−１である。Ｍ(L)は、該当するＳＳでモニタするＰＤＣＣＨ候補の数である。すなわち、ＵＥは、自体にＬ個のＣＣＥからなるＰＤＣＣＨが送信されるか否かを確認するために、Ｍ(L)（≧Ｌ）個の連続するかまたは特定の規則で配置されたＣＣＥを確認するように設定（configure）される。参考として、ＣＩＦはＤＣＩに含まれるフィールドであり、搬送波アグリゲーションの場合、ＣＩＦは、該当のＤＣＩがどのセルのためのスケジューリング情報を搬送するかを示すために用いられる。ｅＮＢは、ＵＥの受信するＤＣＩがＣＩＦを含み得るか否かを、上位層信号を用いて上記ＵＥに知らせることができる。すなわち、上位層によってＵＥにＣＩＦを設定することができる。
【０１５７】
共通ＳＳに対して、Ｙkは、アグリゲーションレベルＬ＝４およびＬ＝８に対して０にセットされる。アグリゲーションレベルＬでＵＥ−固有ＳＳ  Ｓ(L)kに対して、変数（variable）Ｙkは次の式によって定義される。
【０１５８】
【数１６】
0006400598.tif 000026
【０１５９】
【数１７】
0006400598.tif 000027
【０１６０】
本発明によって、ＰＤＣＣＨが複数のサブフレームのバンドル（a bundle of multiple subframes）を通じて送信される場合、サブフレームごとに異なるＰＤＣＣＨリソースでＰＤＣＣＨが送信されてもよいとすれば、ＰＤＣＣＨを受信するためのＵＥの複雑度（complexity）は、ＰＤＣＣＨ送信サブフレームの数が増えるにつれて幾何級数的に大きくなるという問題が発生する。換言すれば、ＰＤＣＣＨバンドル送信に用いられるサブフレームによってＳＳが異なりうる場合、ＵＥの複雑度がサブフレームバンドルのサイズによって増加することになる。そこで、本発明では、ＰＤＣＣＨがサブフレームバンドルを通じて送信される場合、次のような方法のいずれか１つによって送信されることを提案する。
【０１６１】
（１）ｅＮＢがＵＥにＰＤＣＣＨ送信期間に複数のサブフレームを通じて（すなわち、上記複数のサブフレームのそれぞれで）ＰＤＣＣＨを送信する場合、該当の期間にＰＤＣＣＨをＣＳＳまたはＵＳＳのいずれかで同一のｍ値（ｍ＝０，．．．，Ｍ(L)−１）を用いるＣＣＥリソースを用いて送信することができる。すなわち、ＵＥは、同一のＰＤＣＣＨが送信されるサブフレームの間には、ＰＤＣＣＨが同一のｍ値に該当するＵＳＳリソースまたはＣＳＳリソースを通じて送信されると仮定することができる。
【０１６２】
（２）ｅＮＢがＵＥにＰＤＣＣＨ送信期間に複数のサブフレームを通じてＰＤＣＣＨを送信する場合、該当の期間に該当のＰＤＣＣＨを、ＣＳＳまたはＵＳＳの１つで、ｍ＝０のＣＣＥを通じて送信することができる。すなわち、ＵＥは、同一の情報／データ／コンテンツを搬送するＰＤＣＣＨを有するサブフレームの間には、ｍ＝０のＵＳＳリソースまたはＣＳＳリソースを通じてＰＤＣＣＨが送信されると仮定することができる。
【０１６３】
（３）ｅＮＢがＵＥにＰＤＣＣＨ送信期間に複数のサブフレームでＵＥ−固有ＰＤＣＣＨを送信する場合、該当の期間に該当のＰＤＣＣＨを同一のＣＣＥ（または、ＥＲＥＧまたはＲＥ）リソースを通じて送信することができる。ｅＮＢがＰＤＣＣＨ送信期間に同一のＣＣＥ（または、ＥＲＥＧまたはＲＥ）リソースを通じてＵＥ−固有ＰＤＣＣＨを送信する場合、ＵＥは、ＵＥ−固有ＰＤＣＣＨが送信されるＣＣＥ（または、ＥＲＥＧまたはＲＥ）リソースが、ＰＤＣＣＨ送信開始サブフレームで送信されるＣＣＥ（または、ＥＲＥＧまたはＲＥ）リソースと同一であると仮定することができる。
【０１６４】
（３−１）ＰＤＣＣＨ送信期間にＵＥ−固有ＰＤＣＣＨが送信されうるＵＥ−固有ＳＳを構成するＣＣＥ（または、ＥＲＥＧまたはＲＥ）リソースは、ＰＤＣＣＨ送信開始サブフレームに適用されるＣＣＥ（または、ＥＲＥＧまたはＲＥ）リソースと同一に設定することができる。ＰＤＣＣＨ送信開始サブフレームに適用されるＣＣＥ（または、ＥＲＥＧまたはＲＥ）リソースは、従来と同様に数式９によって得ることができる。
【０１６５】
（３−２）または、ＰＤＣＣＨ送信期間にＵＥ−固有ＰＤＣＣＨが送信されうるＵＥ−固有ＳＳを構成するＣＣＥ（または、ＥＲＥＧまたはＲＥ）リソースは、数式９によって得ることができ、Ｙkは、０以外の特定の値として固定して用いることができる。
【０１６６】
◆  ＰＤＳＣＨ／ＰＵＳＣＨの送信
カバレッジ問題があるＭＴＣ  ＵＥのためにＰＤＳＣＨ／ＰＵＳＣＨも、同様に、複数のサブフレームのバンドルを通じて送信することができる。例えば、ＰＤＳＣＨはＤ個のサブフレームで送信され、ＵＥは、Ｄ個のＰＤＳＣＨサブフレームのうちのｄ個（１≦ｄ≦Ｄ）のサブフレームを用いてＰＤＳＣＨの受信に成功することができる。或いは、例えば、ＵＥは、ＰＵＳＣＨをＤ個のサブフレームを通じて送信することができる。このようなＰＤＳＣＨ／ＰＵＳＣＨ送信サブフレームバンドルは、連続したサブフレームで構成されてもよく、不連続のサブフレームで構成されてもよい。
【０１６７】
現在のＬＴＥ標準によれば、ＵＥは、ＰＤＣＣＨを復号した後、該ＰＤＣＣＨを有する同一サブフレームで、該ＰＤＣＣＨが搬送するＤＣＩによってＰＤＳＣＨ（ＳＰＳ  ＰＤＳＣＨを除く）を復号することができる。カバレッジ問題があるＭＴＣ  ＵＥの場合、ＰＤＣＣＨ、ＰＤＳＣＨの両方とも複数のサブフレームにわたって送信されてもよく、よって、ＰＤＣＣＨを受信してからいつＰＤＳＣＨを受信しなければならないかに関する新しい定義が必要でありうる。ＰＤＣＣＨおよびＰＤＳＣＨの従来の送信と同様に、ＵＥにＰＤＳＣＨに対するＤＬグラントを搬送するＰＤＣＣＨと上記ＰＤＳＣＨとを同一のサブフレームで送信することができる。この場合、ＵＥは、ＰＤＣＣＨの受信に成功するまでは、上記ＰＤＣＣＨと関連付けられたＰＤＳＣＨを受信することができず、ＰＤＣＣＨの受信に成功するまで、受信したＰＤＳＣＨを全て蓄えておかなければならないという問題が発生する。ところで、ＭＴＣ  ＵＥについて、データ送信の遅延が増加することはある程度容認されるが、ＭＴＣ  ＵＥの製造コストの節減は重要である。本発明は、ＭＴＣ  ＵＥのこのような特性を考慮して、図１１に例示するような送信方式を提案する。
【０１６８】
図１１は、本発明の実施例Ａに係る他の信号送信／受信方法を例示する図である。
【０１６９】
図１１（ａ）を参照すると、ｅＮＢはＵＥに合計Ｎ個のサブフレームのバンドルを用いてＰＤＣＣＨを送信することができる。このとき、上記ＰＤＣＣＨと関連付けられたＰＤＳＣＨ／ＰＵＳＣＨは、ＰＤＣＣＨバンドルが全て送信された後、Ｇ個のサブフレームの次のサブフレームから送信することができる。すなわち、例えば、サブフレームＮ−１で最後のＰＤＣＣＨが送信された場合、ＵＥは、サブフレームＮ＋Ｇから始まってＤ個のサブフレームのバンドルでＰＤＳＣＨ／ＰＵＳＣＨが送信されると仮定することができる。Ｎの値とＤの値とは異なるように設定されてもよいが、同一に設定されてもよい。Ｎ＝Ｄが常に成立すると定義される場合、Ｄの値がＵＥに通知されなくてもよい。Ｎの値とＤの値とは異なるようにまたは同一に設定され、Ｄの値に関する情報がＰＤＣＣＨに含まれて送信されてもよい。
【０１７０】
ＰＤＣＣＨサブフレームバンドルとＰＤＳＣＨ／ＰＵＳＣＨサブフレームバンドルとの間のサブフレーム間隔に該当するＧの値は、特定値に固定されてもよく、ＭＩＢ、ＳＩＢまたはＲＲＣ信号などの上位層信号を通じてＵＥに設定されてもよい。ＰＤＣＣＨサブフレームバンドルとＰＤＳＣＨサブフレームバンドルとの送信間のサブフレーム間隔に該当するＧの値は、０に固定されてもよい。すなわち、ＰＤＣＣＨサブフレームバンドル送信が終わった後、次のサブフレームから直ぐにＰＤＳＣＨ／ＰＵＳＣＨサブフレームバンドル送信が始まってもよい。また、ＰＤＣＣＨサブフレームバンドルとＰＵＳＣＨサブフレームバンドルとの間のサブフレーム間隔に該当するＧの値は、４に固定されてもよい。或いは、ＰＤＣＣＨサブフレームバンドルとＰＵＳＣＨサブフレームバンドルとの間のサブフレーム間隔に該当するＧの値は、ＰＤＣＣＨに対するサブフレームバンドルが設定されていない場合における値と同じ値（例えば、Ｇ＝ｋPUSCH）に固定されてもよい。例えば、ＦＤＤに対してｋPUSCHは４であり、ＴＤＤに対しＴＤＤ  ＤＬ−ＵＬ設定別にｋPUSCHは次のように与えられてもよい。
【０１７１】
【表１０】
0006400598.tif 000028
【０１７２】
表１０で、各ＤＬ−ＵＬ設定別にＤＬサブフレーム番号ｎに対して定義された数字が、ｋPUSCHになり得る。例えば、ＰＤＣＣＨサブフレームバンドルの最後のサブフレームが１つの無線フレーム内でどのサブフレーム番号を有するかによってＧ３を定めることができる。
【０１７３】
ＰＤＣＣＨサブフレームバンドルが終わった後、ＰＤＳＣＨ／ＰＵＳＣＨサブフレームバンドルが始まるべきサブフレームの位置が、ＰＤＳＣＨ／ＰＵＳＣＨを送信できないサブフレームの場合、当該サブフレーム以降のサブフレームのうち、ＰＤＳＣＨ／ＰＵＳＣＨ送信に利用可能な最も早いサブフレームでＰＤＳＣＨ／ＰＵＳＣＨバンドルを始めることができる。換言すれば、サブフレームＮ＋ＧがＰＤＳＣＨ／ＰＵＳＣＨ送信に利用可能なサブフレームでなければ、ＵＥは、サブフレームＮ＋Ｇ以降のサブフレームのうち、ＰＤＳＣＨ／ＰＵＳＣＨ送信に利用可能であるとともにサブフレームＮ＋Ｇと最も近接したサブフレームでＰＤＳＣＨ／ＰＵＳＣＨバンドル送信が始まると仮定することができる。ＰＤＳＣＨ／ＰＵＳＣＨバンドル送信の開始サブフレームが変更されても、ＰＤＳＣＨ／ＰＵＳＣＨバンドルのサイズＤは変更されずに維持されてもよい。
【０１７４】
ＵＥがＰＤＣＣＨを受信した後、該ＰＤＣＣＨが示すＰＤＳＣＨ／ＰＵＳＣＨを有するサブフレームを把握できる他の方法として、ＰＤＣＣＨバンドルの送信が始まってから一定の時間後にＰＤＳＣＨ／ＰＵＳＣＨバンドルの送信が始まると仮定することができる。上記ＰＤＣＣＨバンドルの送信が始まるサブフレーム位置とＰＤＳＣＨ／ＰＵＳＣＨバンドルの送信が始まるサブフレーム位置との差をＫ個（例えば、Ｋ＝１００，２００，．．．）のサブフレームとする場合、ＵＥは、ＰＤＣＣＨがどのサブフレームから始まるかを知る必要がある。例えば、Ｋ＝‘ＰＤＳＣＨ／ＰＵＳＣＨ開始サブフレームであるインデックス−ＰＤＣＣＨ開始サブフレームであるインデックス’として定義する場合、ＵＥは、ＰＤＣＣＨが始まる時点を知ってこそＰＤＳＣＨ／ＰＵＳＣＨが始まる時点の把握に成功することができる。一般に、ＵＥがＰＤＣＣＨの送信期間Ｎを知ってこそＰＤＳＣＨ／ＰＵＳＣＨの送信開始時点がわかるはずだが、この場合には、ＰＤＣＣＨが送信されるサブフレーム期間Ｎを正確に知らなくても、ＰＤＳＣＨの送信が始まるサブフレーム位置を把握できるという長所がある。例えば、ｅＮＢがＰＤＣＣＨを最大Ｎ回送信するものの、ＰＤＣＣＨの実際の送信回数は、該当の送信時点でｅＮＢの判断によって変わってもよいと仮定すれば、ＵＥは、ＰＤＣＣＨの送信終了位置は知らないが、ＰＤＳＣＨの送信開始位置はわかる。Ｋの値は固定していてもよく、ＭＩＢ、ＳＩＢ、またはＲＲＣ信号などの上位層信号を通じてＵＥに設定されてもよい。Ｋの値は、常にＰＤＣＣＨサブフレームバンドルの数と同一となるように設定されてもよい。すなわち、ＰＤＣＣＨサブフレームバンドルの送信が終わった後、直後のサブフレームからＰＤＳＣＨ／ＰＵＳＣＨサブフレームバンドルが始まってもよい。或いは、ＰＤＣＣＨバンドルがＮ個のサブフレームで構成されるとき、ＰＤＣＣＨバンドルが始まるサブフレーム位置とＰＤＳＣＨ／ＰＵＳＣＨバンドルが始まるサブフレーム位置との差であるＫは、Ｎ−１に固定されるものの、ＰＤＣＣＨサブフレームバンドルの送信が終わるサブフレームでＰＤＳＣＨ／ＰＵＳＣＨサブフレームバンドルの送信が始まってもよい。
【０１７５】
ＵＥ−固有のＰＤＣＣＨバンドルを受信する場合、またはＵＳＳでＰＤＣＣＨバンドルを受信する場合、図１１（ｂ）で、ＰＤＣＣＨバンドルの開始サブフレームをサブフレーム０とすれば、ＰＤＣＣＨバンドルが終了するサブフレームＮ−１の次のＧ１個のサブフレーム後であるサブフレームＮ＋Ｇ１で、ＰＤＣＣＨ受信に対するＡＣＫ／ＮＡＣＫ（以下、ＰＤＣＣＨ  Ａ／Ｎ）情報をｅＮＢに上りリンクリソースを用いて送信することができる。図１１（ｂ）を参照すると、Ｇ１は４であってもよく、ＰＤＣＣＨ  Ａ／ＮはＡ個の上りリンクサブフレームのバンドルで送信されてもよい。ＵＥからＰＤＣＣＨ  Ａ／Ｎ情報を受信したｅＮＢは、該ＰＤＣＣＨ  Ａ／Ｎ情報がＡＣＫである場合、ＰＤＣＣＨ  Ａ／Ｎを有するサブフレームＮ＋Ｇ１〜Ｎ＋Ｇ＋Ａ−１のバンドルで上記ＰＤＣＣＨ  Ａ／Ｎを受信した後、Ｇ２個のサブフレーム後であるサブフレームＮ＋Ｇ１＋Ａ＋Ｇ２から始まるＤ個サブフレームのバンドルを通じてＰＤＳＣＨを送信することができる。ＰＤＳＣＨバンドルを受信したＵＥは、ＰＤＳＣＨを全て受信した後、すなわち、ＰＤＳＣＨバンドルが終了するサブフレームＮ＋Ｇ１＋Ａ＋Ｇ２−１の次のサブフレームから始まるＧ３個のサブフレーム後であるサブフレームＮ＋Ｇ１＋Ａ＋Ｇ２＋Ｇ３から始まるＰＤＳＣＨに対するＡ／Ｎ情報をＡ２個の上りリンクサブフレームのバンドルを通じて送信することができる。或いは、ＵＥは、ｅＮＢにＰＵＳＣＨバンドルを全て送信してからＧ３個のサブフレーム後であるサブフレームＮ＋Ｇ１＋Ａ＋Ｇ２＋Ｇ３からＡ２個の上りリンクサブフレームのバンドルを通じてＰＵＳＣＨに対するＡ／Ｎ情報を受信することができる。
【０１７６】
ここで、Ｇ１，Ｇ２，Ｇ３，ＡおよびＡ２の値はそれぞれ固定でもよく、ＭＩＢ、ＳＩＢ、またはＲＲＣ信号などの上位層信号を通じてＵＥに設定されてもよい。特徴として、Ｎ、Ｄ、ＡおよびＡ２の値は同一に設定されてもよい。Ｇ２値は４であってもよい。Ｇ３値は、４、またはＰＤＳＣＨ／ＰＵＳＣＨに対するサブフレームバンドリングが設定されていない場合における値と同じ値であってもよい。ＰＤＳＣＨに対するＡ／Ｎの場合、ＦＤＤに対してＧ３＝４と与えることができる。ＴＤＤにおいて、ＵＬサブフレームｎで送信されるＡ／Ｎ信号は、ＤＬサブフレームｎ−ｋ（ｋ∈Ｋ）でＵＥによって検出されたＰＤＣＣＨおよび下りリンクＳＰＳ解除ＰＤＣＣＨに対応する。Ｋは、ＵＬ−ＤＬ設定によって与えられる。次の表は、３ＧＰＰ  ＬＴＥ（−Ａ）ＴＤＤにおいて定義されたＫ：｛ｋ0，ｋ1，．．．，ｋM-1｝を示す。
【０１７７】
【表１１】
0006400598.tif 000029
【０１７８】
表１１で、各ＤＬ−ＵＬ設定別にサブフレームｎに対して定義された数字を、ｋ値と関連付けることができる。例えば、ＰＤＳＣＨサブフレームバンドルの最後のサブフレームが１つの無線フレーム内でどのサブフレーム番号を有するかによってＧ３を定めることができる。ＰＵＳＣＨに対するＡ／Ｎの場合、ＦＤＤに対してＧ３＝４と、ＴＤＤに対してＧ３＝ｋPHICHと与えることができる。次の表は、各ＴＤＤ  ＤＬ−ＵＬ設定別ｋPHICHを例示するものである。
【０１７９】
【表１２】
0006400598.tif 000030
【０１８０】
表１２において、各ＤＬ−ＵＬ設定別にＵＬサブフレーム番号ｎに対して定義された数字をｋPHICHとして用いることができる。例えば、ＰＵＳＣＨサブフレームバンドルの最後のサブフレームが１つの無線フレーム内でどのサブフレーム番号を有するかによってＧ３を定めることができる。
【０１８１】
図１２は、本発明の実施例Ａに係る更に他の信号送信／受信方法を例示する図である。
【０１８２】
カバレッジ問題があるＭＴＣ  ＵＥがＰＤＳＣＨを送信するさらに他の方法は、次のとおりである。カバレッジ問題があるＭＴＣ  ＵＥのために複数のサブフレームのバンドルを通じて送信されるＰＤＣＣＨは、事前に約束されたサブフレーム位置でのみ送信を開始することができる。このとき、ＰＤＣＣＨを用いたグラントによって送信されるＰＤＳＣＨバンドルは、図１２（ａ）に示すように、上記ＰＤＣＣＨの送信が始まるサブフレームで同時に開始することができる。
【０１８３】
ＰＤＣＣＨおよびＰＤＳＣＨが送信されるべきサブフレーム期間に、ＴＤＤモードでＰＤＳＣＨを送信できないスペシャルサブフレーム（例えば、スペシャルサブフレーム設定０および５）が含まれることがある。この場合、ＰＤＣＣＨおよびＰＤＳＣＨの送信のために次のような方法を用いることができる。まず、ＰＤＣＣＨがＮ個のサブフレームのバンドルを通じて送信されなければならず、ＰＤＳＣＨがＤ個のサブフレームのバンドルを通じて送信されなければならないと仮定すると、図１２（ｂ）に示すように、ＰＤＣＣＨは、ＰＤＣＣＨバンドル送信のためのＮ個のサブフレームのそれぞれで送信することができる。ＰＤＳＣＨの場合、ＰＤＳＣＨを送信できないサブフレーム（例えば、スペシャルサブフレーム）を除いて、ＰＤＳＣＨが送信されてもよいＤ個のサブフレームのそれぞれで送信することができる。換言すれば、ＰＤＳＣＨバンドル送信のためのサブフレームの数Ｄは、スペシャルサブフレームを除いてカウントすることができる。或いは、ＰＤＳＣＨバンドル送信のためのサブフレームの数Ｄがスペシャルサブフレームを含めてカウントされるものの、ＵＥは、スペシャルサブフレームの信号をパンクチャリング、すなわち、スペシャルサブフレームで受信した信号を除いて信号を組み合わせ（コンバインし）（combine）てＰＤＳＣＨを復号することができる。この方法は、全てのスペシャルサブフレームに適用するものではでなく、特定のスペシャルサブフレーム（例えば、スペシャルサブフレーム設定０または５）に該当するスペシャルサブフレームに対して適用することができる。
【０１８４】
＜Ｂ．  ＰＤＣＣＨ送信無し（no PDCCH transmission）＞
図１３は、本発明の実施例Ｂに係る信号送信／受信方法を例示する図である。
【０１８５】
カバレッジ問題があるＭＴＣ  ＵＥにＰＤＣＣＨを送信するために反復的なＰＤＣＣＨの送信を行う場合、これを受信するための送信遅延およびエネルギの消耗が大きくなるという問題がある。これを解決するために、本発明では、カバレッジ問題があるＭＴＣ  ＵＥがＰＤＣＣＨを受信しないで直接ＰＤＳＣＨを受信することを提案する。或いは、カバレッジ問題があるＭＴＣ  ＵＥはＰＤＣＣＨを受信しないで直接ＰＵＳＣＨを送信することを提案する。そのために、カバレッジ問題があるＭＴＣ  ＵＥは、定められた特定のリソース領域を通じて自体に送信されるＰＤＳＣＨを受信したりＰＵＳＣＨを送信したりできる。
【０１８６】
カバレッジ問題があるＭＴＣ  ＵＥのためのＰＤＳＣＨが送信されるサブフレームは、図１３に示すように、ＰＤＳＣＨバンドル送信周期（PDSCH bundle transmission period）、ＰＤＳＣＨバンドル送信オフセット（PDSCH bundle transmission offset）、ＰＤＳＣＨバンドルのサイズ（PDSCH bundle size）‘Ｄ’によって予約されうる。ＵＥは、さらにサブフレームにおけるＰＤＳＣＨが送信されるＲＢリソースまたは領域を知る必要がある。
【０１８７】
図１３を参照すると、ＰＤＳＣＨバンドル送信周期は、ＰＤＳＣＨバンドル送信が適用される周期、換言すれば、ＰＤＳＣＨ送信のためにバンドリングされたサブフレームが設定される周期を表すことができる。バンドリングされたサブフレームとは、同一の信号／データの送信に用いられる複数のサブフレームのバンドルを意味する。バンドル送信のためのバンドリングされたサブフレームは、１回のみ適用されてもよく、所定数のフレーム／サブフレームごとに反復して適用されてもよい。したがって、ＰＤＳＣＨバンドル送信のためにサブフレームが１回のみバンドリングされてもよく、ＰＤＳＣＨバンドル送信周期ごとにＰＤＳＣＨバンドル送信のためのサブフレームでＰＤＳＣＨがバンドル送信されてもよい。
【０１８８】
ＰＤＳＣＨバンドル送信オフセットは、ＰＤＳＣＨ送信のためにバンドリングされたサブフレームが始まる位置を表すことができる。例えば、上記ＰＤＳＣＨバンドル送信オフセットは、所定数の無線フレーム内のサブフレームまたはＰＤＳＣＨバンドル周期に属したサブフレームにおいて何番目のサブフレームでＰＤＳＣＨバンドル送信が始まるかを表す情報であってもよい。ＰＤＳＣＨバンドルのサイズ‘Ｄ’は、１回のＰＤＳＣＨバンドル送信周期に属したサブフレームのうち、バンドリングされるサブフレームの数に該当し得る。連続した下りリンクサブフレームがバンドリングされると仮定すれば、ＰＤＳＣＨ送信のためのサブフレームは、ＰＤＳＣＨバンドル送信オフセットとＰＤＳＣＨバンドルのサイズによって示すことができる。ＰＤＳＣＨバンドル送信オフセットおよびＰＤＳＣＨバンドルのサイズの代わりに、一定期間またはＰＤＳＣＨバンドル周期に対応するサブフレームに一対一で対応するビットで構成されたビットマップを用いてＰＤＳＣＨ反復送信のためのサブフレームを予約（reserve）することもできる。
【０１８９】
カバレッジ問題があるＭＴＣ  ＵＥのためのＰＤＳＣＨ／ＰＵＳＣＨを定義する各要素（element）は、セル−固有であってもよく、ＵＥ−固有であってもよい。セル−固有のＰＤＳＣＨ／ＰＵＳＣＨの送信リソースの場合、固定されたリソースがＰＤＳＣＨ／ＰＵＳＣＨバンドル送信のための送信リソースとして事前に定義されてもよく、またはＭＩＢ、ＳＩＢ、またはＲＲＣ信号などの上位層信号を通じてＵＥに設定されてもよい。ＵＥ−固有のＰＤＳＣＨ／ＰＵＳＣＨの送信リソースの場合、ＲＲＣ信号などの上位層信号を通じてＵＥに設定されてもよい。ＵＥ−固有のＰＤＳＣＨ／ＰＵＳＣＨリソースであっても、同一のＰＤＳＣＨ／ＰＵＳＣＨリソースが２個以上のＵＥのために設定されてもよい。例えば、カバレッジ問題があるＭＴＣ  ＵＥのためのＰＤＳＣＨリソース領域の設定のために、ＰＤＳＣＨバンドル送信周期の値はセル−固有に設定され、ＭＩＢ、ＳＩＢまたはＲＲＣ信号などの上位層信号を通じてＵＥに設定されてもよい。そして、ＰＤＳＣＨバンドル送信オフセット、ＰＤＳＣＨバンドルのサイズ‘Ｄ’、サブフレームにおけるＰＤＳＣＨが送信されるＲＢ領域はＵＥ−固有に設定され、ＲＲＣ信号などの上位層信号を通じてＵＥに設定されてもよい。バンドル送信オフセット値は、ＵＥのＩＤ（例えば、Ｃ−ＲＮＴＩ）と関連付けられて指定されてもよい。例えば、ＵＥは、自体のＵＥ  ＩＤ（例えば、Ｃ−ＲＮＴＩ）を知ると、上記ＵＥ  ＩＤを用いてバンドル送信オフセット値を推定することができる。
【０１９０】
ＳＩＢなどのセル−固有のデータ送信のためのＰＤＳＣＨ領域は、セル−固有に指定することができる。特定のＵＥに対するデータ送信などのＵＥ−固有のデータ送信のためのＰＤＳＣＨリソース領域は、セル−固有に指定されてもよく、ＵＥ−固有に指定されてもよい。セル−固有のＰＤＳＣＨリソース領域を通じてセル−固有のデータを受信する場合、ＵＥは、カバレッジ問題があるＭＴＣ  ＵＥのためのＳＩ−ＲＮＴＩ（以下、ＭＴＣ−ＳＩ−ＲＮＴＩ）を用いることができる。ＭＴＣ−ＳＩ−ＲＮＴＩは、標準技術などによって他のＲＮＴＩのために用いられない値のうちの特定値として事前に定義することができる。或いは、ｅＮＢがＭＴＣ−ＳＩ−ＲＮＴＩをＭＩＢに乗せてＵＥに知らせることもできる。
【０１９１】
或いは、ＵＥがセル−固有またはＵＥ−固有のＰＤＳＣＨリソース領域を通じてＵＥ−固有のデータを受信する場合、ＵＥはＣ−ＲＮＴＩを用いることができる。例えば、次のような手順にＭＴＣ−ＳＩ−ＲＮＴＩまたはＣ−ＲＮＴＩを用いることができる。
【０１９２】
１）該当ＰＤＳＣＨの送信ブロックまたはコードブロック内のビットのスクランブリングに使用。
【０１９３】
２）該当ＰＤＳＣＨの送信ブロックまたはコードブロック内のビットへのＣＲＣ付加（attachment）処理に使用。
【０１９４】
３）該当ＰＤＳＣＨのＲＢ領域を通じて送信されるＵＥ−ＲＳを生成するための擬似ランダムシーケンスをＭＴＣ−ＳＩ−ＲＮＴＩを用いてスクランブリング。
【０１９５】
【数１８】
0006400598.tif 000031
【０１９６】
【数１９】
0006400598.tif 000032
【０１９７】
ここで、スクランブリングシーケンスｃ(q)(ｉ)は、数式７によって与えることができる。スクランブリングシーケンス生成器は各サブフレームの先頭で初期化され、ＰＤＳＣＨのための送信ブロックの場合、初期値ｃinitは次の式によって与えられる。
【０１９８】
【数２０】
0006400598.tif 000033
【０１９９】
本発明で、カバレッジ強化モードで動作するＵＥは、数式１２のｎRNTIにＭＴＣ−ＳＩ−ＲＮＴＩまたはＣ−ＲＮＴＩを適用することができる。
【０２００】
手順２）に関し、ＰＤＳＣＨで送信される送信ブロックは、ＰＤＳＣＨにマッピングされる前に、送信ブロックへのＣＲＣ付加、コードブロック分割（セグメンテーション）（segmentation）およびコードブロックへのＣＲＣ付加、チャネルコーディング、レートマッチングおよびコードブロック連結（concatenation）などを含む送信ブロック処理（processing）を経る。誤り検出がＣＲＣを通じて送信ブロックまたはコードブロックに適用されるが、通常、全（entire）送信ブロックまたは全コードブロックが該当ブロックに付加されるＣＲＣパリティビットを計算するために用いられる。本発明では、ＭＴＣ−ＳＩ−ＲＮＴＩまたはＣ−ＲＮＴＩをＣＲＣパリティビットの計算のために用いることができ、本発明の一実施例に係る上位層信号に対応する送信ブロックまたはコードブロックに、ＭＴＣ−ＳＩ−ＲＮＴＩまたはＣ−ＲＮＴＩを用いて計算されたＣＲＣパリティビットを付加することができる。ＭＴＣ−ＳＩ−ＲＮＴＩまたはＣ−ＲＮＴＩをａ0，ａ1，ａ2，ａ3，．．．，ａA-1とし、ＣＲＣパリティビットをｂ0，ｂ1，ｂ2，ｂ3，．．．，ｂL-1としよう。ここで、Ａは、ＭＴＣ−ＳＩ−ＲＮＴＩまたはＣ−ＲＮＴＩの長さであり、Ｌは、パリティビットの数である。ＣＲＣパリティビットは、例えば、次の巡回生成器多項式（cyclic generator polynomial）のうちの１つによって生成することができる。
【０２０１】
【数２１】
0006400598.tif 000034
【０２０２】
【数２２】
0006400598.tif 000035
【０２０３】
ここで、ｇCRC24Aは、送信ブロックにＣＲＣとして付加される２４個のパリティビットを生成する巡回生成器多項式を意味し、ｇCRC24Bは、コードブロックにＣＲＣとして付加される２４個のパリティビットを生成する巡回生成器多項式を意味する。符号化（encoding）は、システマチック（systematic）形態で行われ、これは、２のガロアフィールド（Galois field）ＧＦ(２)で多項式‘ａ0ＤA+23＋ａ1ＤA+22＋．．．＋ａA-1ＤA+24＋ｐ0Ｄ23＋ｐ0Ｄ22＋．．．＋ｐ22Ｄ1＋ｐ23’が該当の長さ−２４ＣＲＣ生成器多項式ｇCRC24AまたはｇCRC24Bで除算されるとき、０に等しい余り（remainder）を算出（yield）することを意味する。
【０２０４】
或いは、ＣＲＣが付加される全送信ブロックまたは全コードブロックに対して、数式１３および数式１４を用いてＣＲＣを計算し、計算したＣＲＣをＭＴＣ−ＳＩ−ＲＮＴＩまたはＣ−ＲＮＴＩによってスクランブルした後で該当の送信ブロックまたはコードブロックに付加することもできる。例えば、次の式によって、ＣＲＣパリティビットｂ0，ｂ1，ｂ2，ｂ3，．．．，ｂL-1を該当のＭＴＣ−ＳＩ−ＲＮＴＩまたはＣ−ＲＮＴＩｘrnti,0，ｘrnti,1，ｘrnti,2，．．．，ｘrnti,C-1でスクランブルすることができる。
【０２０５】
【数２３】
0006400598.tif 000036
【０２０６】
ここで、ｘrnti,0は、ＭＴＣ−ＳＩ−ＲＮＴＩまたはＣ−ＲＮＴＩの最上位ビットに該当し、Ｃは、ＭＴＣ−ＳＩ−ＲＮＴＩまたはＣ−ＲＮＴＩの長さを意味する。
【０２０７】
手順３）に関し、数式１２のスクランブリング識別子ｎSCIDにＭＴＣ−ＳＩ−ＲＮＴＩまたはＣ−ＲＮＴＩを適用することができる。ＵＥは、ＵＥ−ＲＳの生成に用いられたスクランブリング識別子として用いられたＭＴＣ−ＳＩ−ＲＮＴＩまたはＣ−ＲＮＴＩを知っているから、ＰＤＳＣＨと併せて送信されたＵＥ−ＲＳシーケンスがわかり、よって、上記ＵＥ−ＲＳシーケンスを用いてＰＤＳＣＨに対する復号を行うことによって、上記ＰＤＳＣＨが搬送する上位層信号を取得することができる。
【０２０８】
ＵＥは、ＵＥ−固有のＰＤＳＣＨバンドルを受信した場合、Ｇ３個のサブフレーム後に、ＰＤＳＣＨ受信に対するＡ／Ｎ情報をｅＮＢに上りリンクリソースを用いて送信することができる。このとき、Ｇ３値は、４、またはＰＤＳＣＨ／ＰＵＳＣＨに対するサブフレームバンドリングが設定されていない場合における値と同じ値であってもよく、Ａ／Ｎ情報は、Ａ１個のＵＬサブフレームをバンドルを通じて送信することができる。或いは、ＵＥは、ｅＮＢにＰＵＳＣＨバンドルを全て送信した後、Ｇ３個のサブフレーム後のサブフレームからＡ２個のＵＬサブフレームのバンドルを通じてＰＵＳＣＨに対するＡ／Ｎ情報を受信することができる。Ｇ３およびＡ１の値はそれぞれ固定でもよく、ＭＩＢ、ＳＩＢまたはＲＲＣ信号などの上位層信号を通じてＵＥに設定されてもよい。
【０２０９】
本発明の実施例Ｂで説明されたＰＤＳＣＨバンドル送信周期、ＰＤＳＣＨバンドル送信オフセットおよび／またはＰＤＳＣＨバンドルのサイズは、ＰＤＳＣＨ送信のためのサブフレームの予約／設定だけでなく、他の物理チャネルのバンドル送信のためのサブフレームの予約／設定のためにも用いることができる。例えば、本発明の実施例Ａ、実施例Ｃ〜Ｇで、物理チャネル（例えば、ＰＤＣＣＨ、ＰＢＣＨ、ＰＵＣＣＨ、ＰＵＳＣＨ、ＰＨＩＣＨなど）の反復送信のためのサブフレームの予約、すなわち、サブフレームバンドルの設定のためにバンドル送信周期、バンドル送信オフセットおよび／またはサブフレームバンドルのサイズを用いることができる。
【０２１０】
＜Ｃ．  縮小された（Shortened）ＰＤＣＣＨ＞
図１４は、本発明の実施例Ｃに係る信号送信／受信方法を例示する図である。
【０２１１】
カバレッジ問題があるＭＴＣ  ＵＥへのＰＤＣＣＨの送信に成功するためにＰＤＣＣＨの反復送信が行われる場合、上記反復送信のための送信遅延（delay）およびエネルギ消耗が大きくなるという問題がある。これを解決するために、本発明では、カバレッジ問題があるＭＴＣ  ＵＥにＰＤＳＣＨが送信されるか否かを示す情報のみを含むまたはＰＤＳＣＨが送信されるか否かを示す情報を含む縮小された（縮小）（Shortened）ＰＤＣＣＨを送信することを提案する。ＵＥは、縮小されたＰＤＣＣＨを介して、自体にＰＤＳＣＨが送信されるか否かを判断する程度のより少ない情報を受信し、自体にＰＤＳＣＨが送信されると仮定すると、定められたＰＤＳＣＨリソースまたは領域（以下リソース／領域）でデータを受信することができる。例えば、縮小されたＰＤＣＣＨは、上記ＰＤＣＣＨがターゲットとするＵＥのＩＤ（例えば、Ｃ−ＲＮＴＩ）に関する情報のみを含むことができる。ＵＥは、自体のＵＥ  ＩＤ（例えば、Ｃ−ＲＮＴＩ）に関する情報を含むＰＤＣＣＨを受信または検出すると、自体にＰＤＳＣＨが送信されると仮定することができる。
【０２１２】
カバレッジ問題があるＭＴＣ  ＵＥへのデータ送信のために縮小されたＰＤＣＣＨが用いられる場合、図１４（ａ）に示すように、特定のＵＥ（例えば、ＵＥ１）に対する縮小されたＰＤＣＣＨが特定のサブフレームを通じて送信されると、上記縮小されたＰＤＣＣＨを有するサブフレームからＤ個のサブフレームのバンドルを通じてＰＤＳＣＨが送信されうる。ＵＬの場合、特定のＵＥに対する縮小されたＰＤＣＣＨが特定のサブフレームを通じて送信されると、上記縮小されたＰＤＣＣＨを受信したＵＥは、上記特定のサブフレームの次の４番目のサブフレームから始まるＤ個のサブフレームのバンドルを通じてＰＵＳＣＨを送信することができる。縮小されたＰＤＣＣＨは、ＰＤＳＣＨが送信されるサブフレームの数、すなわち、ＰＤＳＣＨバンドルのサイズであるＤの値に関する情報を含むことができる。
【０２１３】
縮小されたＰＤＣＣＨを受信したＵＥは、定められたＰＤＳＣＨリソース／領域を通じて自体に送信されるデータを受信することができる。ＰＤＳＣＨリソース／領域を指定し、該当のＰＤＳＣＨリソース／領域を通じてデータを送信するためには、前述した本発明の実施例Ｂで言及した方式を適用することができる。ＰＤＳＣＨリソース／領域は、セル−固有であってもよく、ＵＥ−固有であってもよい。また、ＳＩＢなどのセル−固有のデータ送信のためのＰＤＳＣＨリソース／領域は、セル−固有に指定されてもよい。特定のＵＥに対するデータ送信などのＵＥ−固有のデータ送信のためのＰＤＳＣＨリソース／領域は、セル−固有に指定されてもよく、ＵＥ−固有に指定されてもよい。
【０２１４】
或いは、カバレッジ問題があるＭＴＣ  ＵＥのためのＰＤＳＣＨリソース／領域は、縮小されたＰＤＣＣＨが送信されるＰＤＣＣＨリソース／領域によって定めることができる。例えば、図１４（ｂ）に示すように、ＰＤＣＣＨリソース／領域によって定められたＰＤＳＣＨリソース／領域が存在してもよい。例えば、ＰＤＣＣＨ候補インデックスまたはＰＤＣＣＨのＣＣＥインデックス（例えば、ＰＤＣＣＨに含まれたＣＣＥのうち、最初のＣＣＥのインデックス）などによってＰＤＳＣＨリソースを定めることができる。図１４（ｂ）を参照すると、ＵＥは、ＰＤＣＣＨ１リソース／領域を通じて自体に送信される縮小されたＰＤＣＣＨを受信した場合、ＰＤＣＣＨ１リソース／領域と関連付けられたＰＤＳＣＨリソース／領域を通じてデータを受信することができ、ＰＤＣＣＨ２リソース／領域を通じて自体に送信される縮小されたＰＤＣＣＨを受信した場合、ＰＤＣＣＨ２リソース／領域と関連付けられたＰＤＳＣＨリソース／領域を通じてデータを受信することができる。例えば、ＵＥは、ＰＤＣＣＨのリソースインデックスに基づいて該ＰＤＣＣＨにリンクされたＰＤＳＣＨリソースを把握できる。
【０２１５】
ＵＥは、ＵＥ−固有のＰＤＳＣＨバンドルを受信する場合、Ｇ３個のサブフレーム後に、ＰＤＳＣＨ受信に対するＡ／Ｎ情報をｅＮＢにＵＬリソースを用いて送信することができる。換言すれば、ＵＥは、ＵＥ−固有のＰＤＳＣＨバンドルを受信した後、Ｇ３番目のサブフレームでＡ／Ｎ送信用リソースを用いてＡ／Ｎ情報をｅＮＢに送信することができる。Ｇ３値は、４、またはＰＤＳＣＨ／ＰＵＳＣＨに対するサブフレームバンドリングが設定されていない場合における値と同じ値であってもよい。上記Ａ／Ｎ情報は、Ａ１個のＵＬサブフレームのバンドルを通じて送信することができる。或いは、ＵＥはｅＮＢにＰＵＳＣＨバンドルを全て送信した後、Ｇ３個のサブフレーム後のサブフレーム（すなわち、ＰＵＳＣＨバンドルを全て送信してからＧ３番目のサブフレーム）からＡ２個のＵＬサブフレームのバンドルを通じてＰＵＳＣＨに対するＡ／Ｎ情報を受信することができる。Ｇ３およびＡ１の値はそれぞれ固定でもよく、ＭＩＢ、ＳＩＢまたはＲＲＣ信号などの上位層信号を通じてＵＥに設定されてもよい。
【０２１６】
＜Ｄ．  ＰＤＣＣＨとＰＤＳＣＨとの間の衝突（conflict）問題（issue）＞
図１５乃至図１７は、本発明の実施例Ｄに係る信号送信／受信方法を例示する図である。本発明の実施例Ｄは、本発明の実施例Ａ、実施例Ｃ〜実施例Ｇの少なくとも１つと併せて適用することができる。
【０２１７】
前述したように、ＭＴＣ  ＵＥのためにＰＤＣＣＨを連続したまたは不連続の複数のサブフレームを通じてＰＤＣＣＨバンドルの形態で送信することができ、このようなＰＤＣＣＨバンドルの送信は、予め定められたまたは設定されたサブフレーム位置で開始することができる。このとき、ＵＥがＰＤＳＣＨバンドルを受信すべきサブフレームと新しいＰＤＣＣＨバンドルの送信が始まり得るサブフレームとが重なる問題が発生しうる。
【０２１８】
この場合、ＵＥは、図１５（ａ）に示すように、１つのＰＤＳＣＨバンドルを受信している間には、（自体が受信すべき）新しいＰＤＣＣＨが送信されないと仮定することができる。
【０２１９】
或いは、ＵＥは、ＰＤＳＣＨバンドルを受信すべきサブフレームと新しいＰＤＣＣＨバンドルの送信が始まり得るサブフレームとが重なる場合、図１５（ｂ）に示すように、自体が受信しているＰＤＳＣＨバンドルの受信を中断し、新しいＰＤＣＣＨバンドルの受信を試みることができる。或いは、ＵＥは、ＰＤＣＣＨバンドルが送信され得る期間に他のＵＥのためのＰＤＣＣＨバンドルが送信され得ると仮定して、自体が受信しているＰＤＳＣＨバンドルの受信を中断し、ＰＤＣＣＨバンドルの受信も試みなくてもよい。ＰＤＣＣＨバンドルの受信を終えた後またはＰＤＣＣＨバンドルが送信されるサブフレームが過ぎた後、ＵＥは、しばらく中断したＰＤＳＣＨバンドルの受信を続いて行うことができる。ＵＥがＰＤＳＣＨバンドルを受信すべきサブフレームと新しいＰＤＣＣＨバンドルの送信が始まり得るサブフレームとが重なることから、ＵＥがＰＤＳＣＨバンドルの受信を中断し、新しいＰＤＣＣＨバンドルの受信を試みる場合、ｅＮＢは、当該ＰＤＣＣＨバンドルでは当該ＵＥのためにはＤＬグラントは送信することができず、ＵＬグラントのみを送信することができる。当該ＵＥは当該ＰＤＣＣＨバンドルではＤＬグラントが送信されないと仮定することができる。
【０２２０】
ＭＴＣ  ＵＥのためにＰＤＣＣＨがＰＤＣＣＨバンドルの形態で送信され、ＰＤＣＣＨバンドルの送信は予め定められたサブフレーム位置で始まるとき、ＰＵＳＣＨバンドル送信のためのサブフレームと新しいＰＤＣＣＨバンドル送信の開始サブフレームとが重なるという問題が発生しうる。この場合、ＵＥは、図１６（ａ）に示すように、ＰＵＳＣＨバンドルを送信している間には、自体が受信すべきＰＤＣＣＨが送信されないと仮定することができる。或いは、ＵＥは、ＰＵＳＣＨバンドル送信のためのサブフレームと新しいＰＤＣＣＨバンドル送信のためのサブフレームのタイミングが重なる場合、すなわち、ＰＵＳＣＨバンドル送信と新しいＰＤＣＣＨバンドル送信とが衝突する場合、図１６（ｂ）に示すように、ＵＥは、ＰＵＳＣＨバンドルを送信すると同時に新しいＰＤＣＣＨバンドルの受信を試みることができる。このとき、ＵＥは、ＰＵＳＣＨバンドル送信タイミングと衝突するＰＤＣＣＨバンドルでは自体にＵＬグラントが送信されないと仮定することができる。或いは、ＵＥは、ＰＵＳＣＨバンドルを送信すると同時に新しいＰＤＣＣＨバンドルの受信を試みることができ、ＵＥは、ＰＵＳＣＨバンドルの送信が終了する前にＰＤＣＣＨバンドルの送信が終了する場合には、自体にＵＬグラントが送信されないと仮定することができる。或いは、ＵＥは、ＰＵＳＣＨバンドルの送信が終了するサブフレームからＸ個（例えば、Ｘ＝４）のサブフレーム以前にＰＤＣＣＨバンドルの送信が終了する場合には、自体にＵＬグラントが送信されないと仮定することができる。
【０２２１】
一方、図１７に示すように、ＰＤＣＣＨバンドルの長さが、ＰＤＣＣＨバンドルの送信が始まり得るサブフレーム位置の間の間隔よりも大きい値を有してもよい。この場合、ＵＥが互いに異なるＰＤＣＣＨバンドルを同時に受信できなければ、ＵＥは、自体に送信されるＰＤＣＣＨは１回に１つしかないと仮定することができる。
【０２２２】
＜Ｅ．  ＰＢＣＨとＰＤＳＣＨとの間の衝突問題＞
図１８は、本発明の実施例Ｅに係る信号送信／受信方法を例示する図である。
【０２２３】
前述したように、カバレッジ強化が必要なＭＴＣ  ＵＥのためにＰＤＳＣＨが連続したまたは不連続の複数のサブフレームを通じて送信されうる。これと同様に、ＭＴＣ  ＵＥのカバレッジ強化のために、ＰＢＣＨが複数のサブフレームを通じて送信されてもよい。各１０ｍｓ無線フレームにおける最初のサブフレーム＃０内で、図１８（ａ）のように、４個のＯＦＤＭシンボル（ＯＦＤＭシンボル＃７〜＃１０）の中心の６個のＲＢ上で送信される従来のＰＢＣＨの他に、従来のＰＢＣＨが送信されないサブフレーム（例えば、各１０ｍｓ無線サブフレームのサブフレーム＃１〜＃９）で追加のＰＢＣＨが送信されてもよい。このとき、追加のサブフレームでＰＢＣＨは、図１８（ａ）に示すように、従来のＰＢＣＨが送信されるＲＥリソースを通じて送信されてもよく、図１８（ｂ）に示すように、該当サブフレーム内でＰＤＣＣＨリソース／領域を除く全ＯＦＤＭシンボルリソース／領域を通じて送信されてもよい。以下、本発明では、従来送信されるＰＢＣＨではなく、追加のサブフレームで送信されるカバレッジ強化を行うＭＴＣ  ＵＥのためのＰＢＣＨを、追加ＰＢＣＨと称する。
【０２２４】
カバレッジ強化が必要なＭＴＣ  ＵＥのためにＰＢＣＨが複数のサブフレームで送信されるとき、レガシＵＥは、従来ＰＢＣＨが送信されないサブフレームを通じて送信される追加ＰＢＣＨの存在を知らない。したがって、ｅＮＢは、カバレッジ強化を行うＭＴＣ  ＵＥのための追加ＰＢＣＨが送信されるサブフレームでレガシＵＥにＰＤＳＣＨ（または、ＥＰＤＣＣＨ）を送信する場合、追加ＰＢＣＨが送信されるＰＲＢリソース／領域（例えば、中心６個のＰＲＢ）を避けてＰＤＳＣＨ（または、ＥＰＤＣＣＨ）のスケジューリングを行う。
【０２２５】
カバレッジ強化が必要なＭＴＣ  ＵＥのためにＰＢＣＨが複数のサブフレームで送信されるとき、追加ＰＢＣＨが送信されるサブフレームでＭＴＣ  ＵＥにＰＤＳＣＨ（または、ＥＰＤＣＣＨ）を送信する場合、追加ＰＢＣＨが送信されるＰＲＢリソース／領域（例えば、中心６個のＰＲＢ）を避けてＰＤＳＣＨ（または、ＥＰＤＣＣＨ）のスケジューリングを行うことができる。
【０２２６】
カバレッジ強化が必要なＭＴＣ  ＵＥのためにＰＢＣＨが複数のサブフレームで送信されるとき、ＭＴＣ  ＵＥは、このような追加ＰＢＣＨの送信とこの追加ＰＢＣＨが送信される送信リソースとを知ることができる。ＭＴＣ  ＵＥにＰＤＳＣＨを送信するときに、追加ＰＢＣＨとＰＤＳＣＨの送信ＰＲＢリソース／領域とが重なる場合、ｅＮＢは、該当サブフレームでは上記ＭＴＣ  ＵＥにＰＤＳＣＨを送信しなくてもよい。例えば、ＵＥは、追加ＰＢＣＨとＰＤＳＣＨのＰＲＢリソース／領域とが重なる場合、該当サブフレームではＰＤＳＣＨが送信されないと仮定することができる。すなわち、ＵＥは、追加ＰＢＣＨ送信とＰＤＳＣＨ送信とが衝突するサブフレームでは上記ＰＤＳＣＨ送信を期待しなくてもよい。或いは、ＭＴＣ  ＵＥにＰＤＳＣＨを送信するとき、追加ＰＢＣＨとＰＤＳＣＨの送信ＰＲＢリソース／領域とが重なる場合、ｅＮＢは、ＭＴＣ  ＵＥに該当サブフレームで追加ＰＢＣＨが送信されるＲＥリソース／領域に対してＰＤＳＣＨをレートマッチングして送信することもできる。すなわち、ＵＥは、追加ＰＢＣＨとＰＤＳＣＨのＰＲＢリソース／領域とが重なる場合、該当サブフレームでは追加ＰＢＣＨリソース／領域に対してＰＤＳＣＨがレートマッチングされて送信されると仮定することができる。
【０２２７】
＜Ｆ．  ＰＤＣＣＨとＰＤＳＣＨの反復回数＞
図１９は、本発明の実施例Ｆに係る信号送信／受信方法を例示する図である。
【０２２８】
ｅＮＢがＭＴＣ  ＵＥに送信するＰＤＣＣＨの反復回数は、アクセス初期段階に、ＵＥ別に異なるようにまたはセル−固有に設定することができる。或いは、ＰＤＣＣＨの反復回数は、ＲＲＣ設定などを通じて準静的（semi-statically）に変更されてもよい。これによって、ＵＥは、反復して送信されるＰＤＣＣＨサブフレームが特定の数だけ送信されると期待して復号を行うことができる。しかし、ｅＮＢのスケジューリングの柔軟性（flexibility）とシグナリングオーバーヘッドとを減らすために、図１９に示すように、ｅＮＢはＵＥに知らせたまたはＵＥのカバレッジ強化に必要な値によって決定されたＰＤＣＣＨの反復回数（または、ＰＤＣＣＨの最大反復回数）よりも少ない数の反復によってＰＤＣＣＨを送信することができる。この場合、ＵＥは、ｅＮＢによって上記ＵＥに設定されたまたは上記ＵＥのカバレッジ強化に必要な値によって決定されたＰＤＣＣＨの反復回数（または、ＰＤＣＣＨの最大反復回数）よりも少ない数の反復によってＰＤＣＣＨバンドルが送信されると仮定することができる。例えば、ＵＥのチャネル環境またはスケジューリングの制約（restriction）などによって、ｅＮＢは、ＵＥの期待するＰＤＣＣＨ反復回数と同一かまたは小さい数の反復を通じて柔軟に（flexible）ＰＤＣＣＨを送信することができる。この場合、ＵＥは、実際に送信されるＰＤＣＣＨのバンドルのサイズを知らないため、各サブフレームごとにＰＤＣＣＨの復号を試みることができる。
【０２２９】
一方、ＰＤＳＣＨの反復回数は、アクセス初期段階に、ＵＥごとに異なるようにまたはセル−固有に設定されてもよい。或いは、ＰＤＳＣＨの反復回数は、ＲＲＣ設定などを通じて準静的に変更されてもよい。或いは、ＰＤＳＣＨの反復回数は、ＰＤＳＣＨが送信される度にＰＤＣＣＨを介して設定されてもよい。しかし、ｅＮＢのスケジューリングの柔軟性とシグナリングオーバーヘッドとの低減のために、ｅＮＢはＵＥに知らせたまたはＵＥのカバレッジ強化に必要な値によって決定されたＰＤＳＣＨの反復回数（または、ＰＤＳＣＨの最大反復回数）よりも少ない数の反復によってＰＤＳＣＨを送信することができる。この場合、ＵＥは、ｅＮＢによって設定されたまたはＵＥのカバレッジ強化に必要な値によって決定されたＰＤＳＣＨの反復回数（または、ＰＤＳＣＨの最大反復回数）よりも少ない数の反復によってＰＤＳＣＨバンドルが送信されると仮定することができる。例えば、ＵＥのチャネル環境またはスケジューリングの制約などによって、ｅＮＢは、ＵＥの期待するＰＤＳＣＨ反復回数と同一かまたは小さい数の反復によって柔軟にＰＤＳＣＨを送信することができる。この場合、ＵＥは、実際に送信されるＰＤＳＣＨのバンドルのサイズを知らないため、各サブフレームごとにＰＤＳＣＨの復号を試みることができる。
【０２３０】
さらに、ｅＮＢは、ＵＥにＰＤＣＣＨ／ＰＤＳＣＨの最小反復回数を知らせることもできる。或いは、ＰＤＣＣＨ／ＰＤＳＣＨの最小反復回数は、固定された値であってもよく、予め定義された値であってもよい。
【０２３１】
ＵＥが１つのＰＤＣＣＨ／ＰＤＳＣＨではデータの受信に成功し難い場合、ＵＥがｅＮＢによって送信されるＰＤＣＣＨ／ＰＤＳＣＨの正確な反復回数を知らないと、最大反復回数までのＰＤＣＣＨ／ＰＤＳＣＨサブフレームを用いて受信を試みることになる。ところが、ＵＥが最大反復回数までのＰＤＣＣＨ／ＰＤＳＣＨサブフレームでＰＤＣＣＨ／ＰＤＳＣＨの受信を試みると、ｅＮＢによって実際に送信されたＰＤＣＣＨ／ＰＤＳＣＨ反復数よりも多いサブフレームの信号を復号に用いることになり、復号を妨げる値（例えば、他のＵＥに対するデータまたは不所望の（undesired）信号）が復号に多く用いられるという問題が生じる。
【０２３２】
しかし、本発明によってＰＤＣＣＨ／ＰＤＳＣＨの最小反復回数をＵＥが知ると、ＤＬデータにＨＡＲＱが適用される場合、ＵＥは、ｅＮＢが送信するＰＤＣＣＨ／ＰＤＳＣＨの正確な反復回数を知らなくても、最小反復回数分のＰＤＣＣＨ／ＰＤＳＣＨのみを復号に用いることができる。こうすると、復号を妨げる値（例えば、他のＵＥに対するデータまたは不所望の信号）が多く用いられることがない。ＵＥは、最大反復回数までのＰＤＣＣＨ／ＰＤＳＣＨサブフレームを用いてデータの復号を試みたにもかかわらず、復号に失敗した場合（例えば、ＮＡＣＫと判定された場合）、最小反復回数に対応するＰＤＣＣＨ／ＰＤＳＣＨサブフレームから送信されたデータのみを（組み合わせて）受信ＨＡＲＱバッファに記憶することができる。
【０２３３】
ｅＮＢは、ＵＥに、１）最大／最小反復回数を全て知らせ、（上記のような）ＨＡＲＱの組み合わせ（コンバイニング）（combining）動作を動作可能にする（enable）よう設定したり、または２）最大反復回数のみを知らせる代わりに、ＨＡＲＱ組み合わせ動作を動作不能にする（disable）ように設定することができる。或いは、同様に、ＵＥは、（ｅＮＢから）１）最大／最小反復回数の両方とも与えられる場合、自動的に（上記のような）ＨＡＲＱ組み合わせ動作を動作可能にしたり、または２）最大反復回数のみが与えられる場合、自動的にＨＡＲＱ組み合わせ動作を動作不能にするように設定することも可能である。
【０２３４】
＜Ｇ．  ＰＤＣＣＨ、ＰＤＳＣＨ／ＰＵＳＣＨおよびＡＣＫ／ＮＡＣＫの独立した送信タイミング＞
図２０は、本発明の実施例Ｇに係る信号送信／受信方法を例示する図である。
【０２３５】
ＭＴＣ  ＵＥのためのＰＤＣＣＨバンドルの送信が始まり得るサブフレームの位置および周期を定めることができると上述したのと同様に、ＰＤＳＣＨ／ＰＵＳＣＨ送信のためのサブフレームバンドルとデータに対するＡＣＫ／ＮＡＣＫ（例えば、ＰＵＣＣＨ、ＰＨＩＣＨ）の送信のためのサブフレームバンドルとも、当該バンドルの開始位置および周期を定めることができる。このとき、特徴として、ＰＤＣＣＨ、ＰＤＳＣＨ／ＰＵＳＣＨ、ＰＨＩＣＨ、ＰＵＣＣＨバンドルなどの送信が始まるサブフレーム位置とサブフレーム期間とに関する情報は、それぞれ独立して設定することができる。例えば、ＰＤＣＣＨバンドルの送信が始まり得るサブフレームをサブフレームｎとすれば、ｎは（ｎ  ｍｏｄ  Ｄ１）＝Ｇ１を満たす値にすることができる。ここで、Ｄ１は、ＰＤＣＣＨ送信開始可能サブフレームの周期であり、Ｇ１は、ＰＤＣＣＨ送信開始可能サブフレーム位置のオフセットを意味する。例えば、Ｇ１は、Ｄ１の期間におけるＰＤＣＣＨ送信開始サブフレームの位置を表すことができる。これと同様に、ＰＤＳＣＨバンドル送信の開始サブフレームをサブフレームｋとし、ＰＵＣＣＨバンドル送信のサブフレームをサブフレームｍとすれば、ｋおよびｍは、それぞれ、（ｋ  ｍｏｄ  Ｄ２）＝Ｇ２、（ｍ  ｍｏｄ  Ｄ３）＝Ｇ３を満たす値にすることができる。ここで、Ｄ２は、ＰＤＳＣＨ送信開始可能サブフレームの周期であり、Ｇ２は、ＰＤＳＣＨ送信開始可能サブフレーム位置のオフセットを意味し、Ｄ３は、ＰＵＳＣＨ送信開始可能サブフレームの周期であり、Ｇ３は、ＰＵＳＣＨ送信開始可能サブフレーム位置のオフセットを意味する。このとき、Ｄ１、Ｇ１、Ｄ２、Ｇ２、Ｄ３、Ｇ３の値は、それぞれ独立して定めることができる。
【０２３６】
この場合、ＵＥは、図２０に示すように、ｅＮＢからＰＤＳＣＨをスケジューリングするＰＤＣＣＨバンドルを受信した場合、ＰＤＣＣＨバンドルの送信が始まったサブフレームからＸ１個のサブフレーム後に位置する、ＰＤＳＣＨバンドルの送信が始まり得るサブフレームのうち、最も近いサブフレームからＰＤＳＣＨバンドルを受信することができる。これと同様に、ＰＤＳＣＨバンドルを受信したＵＥは、当該ＰＤＳＣＨに対するＡＣＫ／ＮＡＣＫ情報をＰＵＣＣＨを介して送信するために、ＰＤＣＣＨバンドルの送信が始まったサブフレームからＸ２個のサブフレーム後に位置する、ＰＵＣＣＨバンドルの送信が始まり得るサブフレームのうち、最も近いサブフレームからＰＵＣＣＨバンドルを送信することができる。このとき、Ｘ１および／またはＸ２は、予め定義（pre-define）された値であってもよく、ｅＮＢによって設定された値であってもよい。
【０２３７】
前述した本発明の実施例において、ｅＮＢは、チャネル状況に合うデータおよび信号をＭＴＣ  ＵＥに送信するために、カバレッジ問題があるＭＴＣ  ＵＥとそうでないＭＴＣ  ＵＥとを区別する必要がある。ところが、ｅＮＢは、ＵＥがＰＲＡＣＨを送信するまでにはＵＥの存在に気づくことができない。したがって、ＵＥがＳＩＢを初めて受信するまではｅＮＢがＵＥの存在を知らないはずであるため、本発明に係るＵＥは、自体がカバレッジ問題のあるＵＥか否かを自ら判断することができる。例えば、ＵＥは、(1)ＰＳＳ／ＳＳＳの受信に成功するために必要な時間、サブフレームの数、および／またはＰＳＳ／ＳＳＳの数、(2)ＰＢＣＨの受信に成功するために必要な時間、サブフレームの数、および／またはＰＢＣＨの数、(3)無線リソース管理（Radio Resource Management；ＲＲＭ）を行って得た結果（例えば、参照信号受信電力（Reference Signal Received Power；ＲＳＲＰ）、(4)ＳＩＢの受信に成功するために必要な時間、サブフレーム数および／または特定の時間期間に試みられたＳＩＢ受信の成否のうち少なくとも１つを用いて、自体がカバレッジ問題のあるＵＥか否かを判断することができる。自体にカバレッジ問題があると判断される場合、ＭＴＣ  ＵＥは、本発明の実施例によるカバレッジ強化方式を適用したり、またはカバレッジ強化方式を示し得るように定義されたＰＲＡＣＨを送信することによって、ｅＮＢに、自体がカバレッジ問題のあるＵＥであることを知らせることができる。一方、カバレッジ問題のあるＵＥが、カバレッジ問題を（明示的または暗黙的に）知らせるＰＲＡＣＨ送信などを通じてｅＮＢにそれを知らせる前、またはカバレッジ問題のあるＵＥがｅＮＢに初期アクセスを完了する前であれば、ｅＮＢはカバレッジ問題のあるＵＥが存在するか否かを知らない。したがって、本発明に係るｅＮＢは、（カバレッジ問題のあるＭＴＣ  ＵＥを認識できない状態であっても）カバレッジ強化のＭＴＣ  ＵＥのために、本発明に係るサブフレームバンドル送信を行うことができる。ＵＥがＰＲＡＣＨを送信し、ｅＮＢへの初期アクセスが完了した後なら、ＵＥにカバレッジ問題があるか否か、カバレッジ強化レベルなどを（ＲＲＭ情報などから）ｅＮＢが判断してＵＥに知らせることができる。
【０２３８】
本発明の実施例Ａ〜実施例Ｇは、別々に適用されてもよく、２つ以上が併せて適用されてもよい。
【０２３９】
本発明の実施例において、ＵＥは、上りリンクでは送信装置１０として動作し、下りリンクでは受信装置２０として動作する。本発明の実施例において、ｅＮＢは、上りリンクでは受信装置２０として動作し、下りリンクでは送信装置１０として動作する。以下、ＵＥに具備されたプロセッサ、ＲＦユニットおよびメモリを、ＵＥプロセッサ、ＵＥ  ＲＦユニットおよびＵＥメモリとそれぞれ称し、ｅＮＢに具備されたプロセッサ、ＲＦユニットおよびメモリを、ｅＮＢプロセッサ、ｅＮＢ  ＲＦユニットおよびｅＮＢメモリとそれぞれ称する。
【０２４０】
例えば、上記ｅＮＢプロセッサは、本発明の実施例Ａ〜実施例Ｇのいずれか１つによってＰＤＣＣＨ、ＰＤＳＣＨ、ＰＨＩＣＨおよび／またはＰＢＣＨの（反復）送信を行うように上記ｅＮＢ  ＲＦユニットを制御することができる。上記ｅＮＢプロセッサは、本発明の実施例Ａ〜実施例Ｇのいずれか１つによってＵＥからのＰＵＣＣＨおよび／またはＰＵＳＣＨの（反復）送信を受信するように上記ｅＮＢ  ＲＦユニットを制御することができる。上記ｅＮＢプロセッサは、反復受信されたＰＵＣＣＨおよび／またはＰＵＳＣＨを（組み合わせて）復号することができる。上記ｅＮＢプロセッサは、復号の成否によるＡＣＫ／ＮＡＣＫ情報を生成し、該ＡＣＫ／ＮＡＣＫをＰＨＩＣＨを介して送信するようにｅＮＢ  ＲＦユニットを制御することができる。上記ｅＮＢプロセッサは、本発明の一実施例によってｅＮＢ  ＲＦユニットを制御してＰＨＩＣＨの反復送信を行うことができる。上記ｅＮＢプロセッサは、ＰＤＣＣＨ、ＰＤＳＣＨ、ＰＵＣＣＨ、ＰＵＳＣＨ、ＰＨＩＣＨおよび／またはＰＢＣＨの反復送信のためのサブフレームバンドルの設定情報（例えば、送信周期、送信オフセット、開始サブフレーム、バンドルのサイズおよび／または反復回数など）を送信するようにｅＮＢ  ＲＦユニットを制御することができる。上記ｅＮＢプロセッサは、上記設定情報に基づいて該当バンドル内で該当物理チャネルの（反復）送信／受信を行うように上記ｅＮＢ  ＲＦユニットを制御することができる。
【０２４１】
上記ＵＥプロセッサは、本発明の実施例Ａ〜実施例Ｇのいずれか１つによってＰＤＣＣＨ、ＰＤＳＣＨ、ＰＨＩＣＨおよび／またはＰＢＣＨの（反復）受信を行うように、上記ＵＥ  ＲＦユニットを制御することができる。上記ＵＥプロセッサは、本発明の実施例Ａ〜実施例Ｇのいずれか１つによってＰＵＣＣＨおよび／またはＰＵＳＣＨの（反復）送信を行うように上記ＲＦユニットを制御することができる。上記ＵＥプロセッサは、反復受信されたＰＤＣＣＨ、ＰＤＳＣＨ、ＰＨＩＣＨおよび／またはＰＢＣＨを（組み合わせて）復号することができる。上記ＵＥプロセッサは、復号の成否によるＡＣＫ／ＮＡＣＫ情報を生成し、該ＡＣＫ／ＮＡＣＫをＰＵＣＣＨおよび／またはＰＵＳＣＨを介して送信するようにＵＥ  ＲＦユニットを制御することができる。上記ＵＥプロセッサは、本発明の一実施例によってＵＥ  ＲＦユニットを制御し、ＰＵＣＣＨおよび／またはＰＵＳＣＨの反復送信を行うことができる。上記ＵＥプロセッサは、ＰＤＣＣＨ、ＰＤＳＣＨ、ＰＵＣＣＨ、ＰＵＳＣＨ、ＰＨＩＣＨおよび／またはＰＢＣＨの反復送信のためのサブフレームバンドルの設定情報（例えば、送信周期、送信オフセット、開始サブフレーム、バンドルのサイズおよび／または反復回数など）を受信するようにＵＥ  ＲＦユニットを制御し、上記設定情報に基づいて該当バンドル内で該当物理チャネルの（反復）送信／受信を行うように上記ＵＥ  ＲＦユニットを制御することができる。
【０２４２】
上述したように開示された本発明の好適な実施例に関する詳細な説明は、当業者が本発明を具現して実施できるように提供された。上記では本発明の好適な実施例を参照して説明したが、当該技術の分野における熟練した当業者にとっては、添付の特許請求の範囲に記載された本発明を様々に修正および変更させることができるということは明らかである。したがって、本発明は、ここに開示された実施の形態に制限しようとするものではなく、ここに開示された原理および新規な特徴と一致する最も広い範囲を与えようとするものである。
【産業上の利用可能性】
【０２４３】
本発明の実施例は、無線通信システムにおいて、基地局またはユーザ機器、その他の装備に用いることができる。
【図１】
0006400598.tif 000037
【図２】
0006400598.tif 000038
【図３】
0006400598.tif 000039
【図４】
0006400598.tif 000040
【図５】
0006400598.tif 000041
【図６】
0006400598.tif 000042
【図７】
0006400598.tif 000043
【図８】
0006400598.tif 000044
【図９】
0006400598.tif 000045
【図１０】
0006400598.tif 000046
【図１１】
0006400598.tif 000047
【図１２】
0006400598.tif 000048
【図１３】
0006400598.tif 000049
【図１４】
0006400598.tif 000050
【図１５】
0006400598.tif 000051
【図１６】
0006400598.tif 000052
【図１７】
0006400598.tif 000053
【図１８】
0006400598.tif 000054
【図１９】
0006400598.tif 000055
【図２０】
0006400598.tif 000056